(57)【特許請求の範囲】
【請求項１】
チャネル資源のチャネル要素群の少なくとも１つのチャネル要素を電気通信装置によって宛先に割り当てるための方法であって、各チャネル要素は、前記チャネル資源の所定の一区分であり、該方法は、前記電気通信装置によって実行されるステップであって、
前記宛先に割り当てられるチャネル要素の個数を求めるステップ、
前記宛先に割り当てられるチャネル要素の個数に従って少なくとも１つのランダム化機能を選択するとともに、選択されたランダム化機能を割り当てられたチャネル要素の位置に従いさらに選択するステップ、
前記少なくとも１つの選択されたランダム化機能によって、前記宛先に割り当てられる前記チャネル要素又は各チャネル要素に含められるデータを処理するステップ、及び
前記少なくとも１つの選択されたランダム化機能によって処理された前記データを前記少なくとも１つのチャネル要素上にマッピングすることにより、前記少なくとも１つのランダム化機能によって処理された前記データを転送するステップ、
を含むことを特徴とする、方法。
【請求項２】
前記ランダム化機能はスクランブルシーケンスであり、前記データの前記処理は乗算であることを特徴とする、請求項１に記載の方法。
【請求項３】
前記ランダム化機能はインタリーブ機能であり、前記データの前記処理は並べ替えであることを特徴とする、請求項１に記載の方法。
【請求項４】
選択されたランダム化機能は、前記チャネル要素群内における前記割り当てられたチャネル要素の位置に従いさらに選択されることを特徴とする、請求項１から請求項３までのいずれか１項に記載の方法。
【請求項５】
前記方法は複数の宛先について実行され、各宛先について１つのランダム化機能が選択されると共に、各ランダム化機能は該宛先に従ってさらに選択されることを特徴とする、請求項４に記載の方法。
【請求項６】
複数のチャネル要素が前記宛先に割り当てられ、前記宛先に割り当てられた各チャネル要素について１つのランダム化機能が選択され、各選択されたランダム化機能が、前記チャネル要素群内における、前記ランダム化機能が選択される前記チャネル要素の位置に従ってさらに選択されることを特徴とする、請求項１から請求項３までのいずれか１項に記載の方法。
【請求項７】
前記方法は複数の宛先について実行され、複数のランダム化機能が選択されると共に、各ランダム化機能が該宛先に従ってさらに選択されることを特徴とする、請求項６に記載の方法。
【請求項８】
チャネル要素のサブセットの複数のチャネル要素が前記宛先に割り当てられ、前記宛先に割り当てられた各チャネル要素について１つのランダム化機能が選択されることを特徴とし、且つ各選択されたランダム化機能が、前記チャネル要素のサブセット内における前記チャネル要素の位置に従ってさらに選択されることを特徴とする、請求項１から請求項３までのいずれか１項に記載の方法。
【請求項９】
前記方法は複数の宛先について実行され、複数のランダム化機能が選択されると共に、各ランダム化機能が該宛先に従ってさらに選択されることを特徴とする、請求項８に記載の方法。
【請求項１０】
チャネル要素のサブセットの複数のチャネル要素が前記宛先に割り当てられ、前記宛先に割り当てられた各チャネル要素について１つのランダム化機能が選択されることを特徴とし、且つ各選択されたランダム化機能が、前記チャネル要素のサブセット内における前記チャネル要素の位置に従い且つ前記チャネル要素群内における前記宛先に割り当てられた各チャネル要素の位置に従いさらに選択されることを特徴とする、請求項１から請求項３までのいずれか１項に記載の方法。
【請求項１１】
前記方法は複数の宛先について実行され、複数のランダム化機能が選択されると共に、各ランダム化機能が該宛先に従ってさらに選択されることを特徴とする、請求項１０に記載の方法。
【請求項１２】
前記データは、情報の巡回冗長と結合された該情報を変調及び符号化することによって形成されることを特徴とする、請求項１から請求項１１までのいずれか一項に記載の方法。
【請求項１３】
前記宛先は、別の電気通信装置又は該別の電気通信装置によって実行されるアプリケーションであることを特徴とする、請求項１２に記載の方法。
【請求項１４】
前記チャネル要素は制御チャネル要素であり、前記データは、前記チャネル要素群のサブセットについて前記宛先により使用される変調方式及び／若しくは符号化方式、並びに／又は該チャネル要素群のサブセットのロケーション、並びに／又は該チャネル要素群のサブセットについて前記宛先により使用される時空間符号を表すことを特徴とする、請求項１３に記載の方法。
【請求項１５】
１つの宛先に割り当てられる前記チャネル要素は、前記チャネル要素群における連続したチャネル要素であることを特徴とする、請求項１から請求項１４までのいずれか一項に記載の方法。
【請求項１６】
チャネル資源のチャネル要素群の少なくとも１つのチャネル要素が第１の電気通信装置によって宛先に割り当てられているか否かを判断するための方法であって、各チャネル要素は、前記チャネル資源の所定の一区分であり、該方法は、前記宛先によって実行されるステップであって、
受信データがマッピングされているチャネル要素群を受信するステップ、
前記宛先に割り当てられる余地のあるチャネル要素の個数に従って少なくとも１つのランダム化機能を選択するとともに、選択されたランダム化機能を割り当てられたチャンネル要素の位置に従いさらに選択するステップ、
前記少なくとも１つの選択されたランダム化機能によって、少なくとも１つのチャネル要素上にマッピングされた前記受信データを処理するステップ、及び
前記処理された受信データから、少なくとも１つのチャネル要素が前記宛先に割り当てられているか否かを判断するステップ、
を含むことを特徴とする、方法。
【請求項１７】
前記方法は、
前記宛先に割り当てられる余地のあるチャネル要素の別の個数に従って少なくとも１つの他のランダム化機能を選択するステップ、及び
前記少なくとも１つの他の選択されたランダム化機能によって、少なくとも１つのチャネル要素上にマッピングされた前記受信データを処理するステップ、
をさらに含むことを特徴とし、
少なくとも１つのチャネル要素が前記宛先に割り当てられているか否かの前記判断は、前記選択されたランダム化機能によって処理され且つ前記他の選択されたランダム化機能によって処理された前記受信データから実行されることを特徴とする、請求項１６に記載の方法。
【請求項１８】
前記方法は、
前記少なくとも１つの他の選択されたランダム化機能によって、前記少なくとも１つのチャネル要素上にマッピングされた前記受信データの処理されたものから第１のメトリックを求めるステップ、及び
前記少なくとも１つの他の選択されたランダム化機能によって、前記少なくとも１つのチャネル要素上にマッピングされた前記受信データの処理されたものから第２のメトリックを求めるステップ、
をさらに含むことを特徴とし、
少なくとも１つのチャネル要素から成る１つのサブセットの前記チャネル要素が前記宛先に割り当てられているか否かの前記判断は、前記求められたメトリックを使用して実行されることを特徴とする、請求項１７に記載の方法。
【請求項１９】
前記チャネル要素群の各チャネル要素について１つのランダム化機能を含む少なくとも１つのランダム化機能から成るサブセットが、前記宛先に割り当てられる余地のあるチャネル要素の前記個数に従って選択され、前記チャネル要素群の１つのチャネル要素上にマッピングされた各受信データが、該チャネル要素の前記ランダム化機能によって処理されることを特徴とする、請求項１７に記載の方法。
【請求項２０】
前記チャネル要素群の各チャネル要素について１つのランダム化機能を含む少なくとも１つのランダム化機能から成る別のサブセットが、前記宛先に割り当てられる余地のあるチャネル要素の前記別の個数に従って選択され、前記チャネル要素群の１つのチャネル要素上にマッピングされた各受信データが、該チャネル要素の前記ランダム化機能によって処理されることを特徴とする、請求項１９に記載の方法。
【請求項２１】
前記方法は、
少なくとも１つのランダム化機能から成る前記選択されたサブセットによって、前記少なくとも１つのチャネル要素上にマッピングされた前記受信データの処理されたものから第１のメトリックを求めるステップ、及び
少なくとも１つのランダム化機能から成る前記別の選択されたサブセットによって、前記少なくとも１つのチャネル要素上にマッピングされた前記受信データの処理されたものから第２のメトリックを求めるステップ、
をさらに含むことを特徴とし、
少なくとも１つのチャネル要素から成る１つのサブセットの前記チャネル要素が前記宛先に割り当てられているか否かの前記判断は、前記求められたメトリックを使用して実行されることを特徴とする、請求項２０に記載の方法。
【請求項２２】
複数のチャネル要素が前記宛先に割り当てられることを特徴とし、且つ、前記方法は、
前記チャネル要素群の少なくとも１つのチャネル要素から成る第１のサブセットを選択するステップをさらに含むことを特徴とし、且つ
前記チャネル要素の第１のサブセットの各チャネル要素について１つのランダム化機能が選択され、各選択されたランダム化機能が、前記チャネル要素の前記第１のサブセット内における前記チャネル要素の位置に従いさらに選択され、前記第１のサブセットの１つのチャネル要素上にマッピングされた各受信データが、前記少なくとも１つのチャネル要素から成る第１のサブセット内における前記チャネル要素の位置に対応する前記ランダム化機能により処理されることを特徴とする、請求項１６に記載の方法。
【請求項２３】
前記方法は、
前記チャネル要素群の少なくとも１つのチャネル要素から成る第２のサブセットを選択するステップであって、該少なくとも１つのチャネル要素から成る第２のサブセットが、前記第１のサブセットと同じ個数のチャネル要素を含む、ステップをさらに含むことを特徴とし、且つ
前記第２のサブセットの１つのチャネル要素上にマッピングされた各受信データは、前記少なくとも１つのチャネル要素から成る第２のサブセット内における前記チャネル要素の位置に対応するランダム化機能により処理されることを特徴とする、請求項２２に記載の方法。
【請求項２４】
前記方法は、
前記チャネル要素群の少なくとも１つのチャネル要素から成る第３のサブセットを選択するステップであって、該少なくとも１つのチャネル要素から成る第３のサブセットが、前記第１のサブセットとは異なる個数のチャネル要素を含む、ステップ、及び
前記少なくとも１つのチャネル要素から成る第３のサブセットの各チャネル要素について１つの第２のランダム化機能を選択するステップであって、各第２の選択されたランダム化機能は、前記少なくとも１つのチャネル要素から成る第３のサブセット内における前記チャネル要素の位置に従い選択され、前記第３のサブセットの１つのチャネル要素上にマッピングされた各前記受信データは、前記少なくとも１つのチャネル要素から成る第３のサブセット内における前記チャネル要素の位置に対応する前記第２のランダム化機能により処理される、ステップ、
をさらに含むことを特徴とする、請求項２３に記載の方法。
【請求項２５】
前記方法は、
前記第１のサブセットのチャネル要素上にマッピングされた前記受信データの処理されたものから第１のメトリックを求めるステップ、
前記第２のサブセットのチャネル要素上にマッピングされた前記受信データの処理されたものから第２のメトリックを求めるステップ、及び
前記第３のサブセットのチャネル要素上にマッピングされた前記受信データの処理されたものから第３のメトリックを求めるステップ、
をさらに含むことを特徴とし、
少なくとも１つのチャネル要素から成る１つのサブセットの前記チャネル要素が前記宛先に割り当てられているか否かの前記判断は、前記求められたメトリックを使用して実行されることを特徴とする、請求項２４に記載の方法。
【請求項２６】
複数のチャネル要素が前記宛先に割り当てられることを特徴とし、且つ、前記方法は、
前記チャネル要素群の少なくとも１つのチャネル要素から成る第１のサブセットを選択するステップをさらに含むことを特徴とし、且つ
前記少なくとも１つのチャネル要素から成る第１のサブセットの各チャネル要素について１つのランダム化機能が選択され、各選択されたランダム化機能は、前記少なくとも１つのチャネル要素から成る第１のサブセット内における前記チャネル要素の位置に従い且つ前記チャネル要素群内における各チャネル要素の位置に従いさらに選択され、前記第１のサブセットの１つのチャネル要素上にマッピングされた各受信データは、前記少なくとも１つのチャネル要素から成る第１のサブセット内における前記チャネル要素の位置及び前記チャネル要素群内における各チャネル要素の位置に対応する前記選択されたランダム化機能により処理されることを特徴とする、請求項１６に記載の方法。
【請求項２７】
前記方法は、
前記チャネル要素群の少なくとも１つのチャネル要素から成る第２のサブセットを選択するステップであって、該少なくとも１つのチャネル要素から成る第２のサブセットが、前記少なくとも１つのチャネル要素から成る第１のサブセットと同じ個数のチャネル要素を有する、ステップをさらに含むことを特徴とし、且つ
前記少なくとも１つのチャネル要素から成る第２のサブセットの各チャネル要素について１つの第２のランダム化機能が選択され、各第２の選択されたランダム化機能は、前記少なくとも１つのチャネル要素から成る第２のサブセット内における前記チャネル要素の位置に従い且つ前記チャネル要素群内における各前記チャネル要素の位置に従いさらに選択され、前記第２のサブセットの１つのチャネル要素上にマッピングされた各受信データは、前記少なくとも１つのチャネル要素から成る第２のサブセット内における前記チャネル要素の位置に対応し且つ前記チャネル要素群内における各前記チャネル要素の位置に従った前記第２の選択されたランダム化機能により処理されることを特徴とする、請求項２６に記載の方法。
【請求項２８】
前記方法は、
前記チャネル要素群の少なくとも１つのチャネル要素から成る第３のサブセットを選択するステップであって、該少なくとも１つのチャネル要素から成る第３のサブセットが、前記少なくとも１つのチャネル要素から成る第１のサブセットとは異なる個数のチャネル要素を有する、ステップをさらに含むことを特徴とし、且つ
前記少なくとも１つのチャネル要素から成る第３のサブセットの各チャネル要素について１つの第３のランダム化機能が選択され、各第３の選択されたランダム化機能は、前記少なくとも１つのチャネル要素から成る第３のサブセット内における前記チャネル要素の位置に従い且つ前記チャネル要素群内における各チャネル要素の位置に従いさらに選択され、前記第３のサブセットの１つのチャネル要素上にマッピングされた各受信データは、前記少なくとも１つのチャネル要素から成る第３のサブセット内における前記チャネル要素の位置に対応し且つ前記チャネル要素群内における各チャネル要素の位置に従った前記第３の選択されたランダム化機能により処理されることを特徴とする、請求項２７に記載の方法。
【請求項２９】
前記方法は、
前記第１のサブセットのチャネル要素上にマッピングされた前記受信データの処理されたものから第１のメトリックを求めるステップ、
前記第２のサブセットのチャネル要素上にマッピングされた前記受信データの処理されたものから第２のメトリックを求めるステップ、及び
前記第３のサブセットのチャネル要素上にマッピングされた前記受信データの処理されたものから第３のメトリックを求めるステップ、
をさらに含むことを特徴とし、
少なくとも１つのチャネル要素から成る１つのサブセットの前記チャネル要素が前記宛先に割り当てられているか否かの前記判断は、前記求められたメトリックを使用して実行されることを特徴とする、請求項２８に記載の方法。
【請求項３０】
前記ランダム化機能はスクランブル解除シーケンスであり、前記データの前記処理は乗算であることを特徴とする、請求項１６から請求項２９までのいずれか１項に記載の方法。
【請求項３１】
前記ランダム化機能はインタリーブ解除機能であり、前記データの前記処理は並べ替えであることを特徴とする、請求項１６から請求項２９までのいずれか１項に記載の方法。
【請求項３２】
チャネル資源のチャネル要素群の少なくとも１つのチャネル要素を宛先に割り当てるための装置であって、各チャネル要素は、前記チャネル資源の所定の一区分であり、該装置は、
前記宛先に割り当てられるチャネル要素の個数を求める手段、
前記宛先に割り当てられるチャネル要素の個数に従って少なくとも１つのランダム化機能を選択するとともに、選択されたランダム化機能を割り当てられたチャネル要素の位置に従いさらに選択する手段、
前記少なくとも１つの選択されたランダム化機能によって、前記宛先に割り当てられる前記チャネル要素又は各チャネル要素に含められるデータを処理する手段、及び
前記少なくとも１つの選択されたランダム化機能によって処理された前記データを前記少なくとも１つのチャネル要素上にマッピングすることにより、前記少なくとも１つのランダム化機能によって処理された前記データを転送する手段、
を含むことを特徴とする、装置。
【請求項３３】
チャネル資源のチャネル要素群の少なくとも１つのチャネル要素が第１の電気通信装置によって宛先に割り当てられているか否かを判断する装置であって、各チャネル要素は、前記チャネル資源の所定の一区分であり、該チャネル資源のチャネル要素群の少なくとも１つのチャネル要素が第１の電気通信装置によって宛先に割り当てられているか否かを判断する装置は、
受信データがマッピングされているチャネル要素群を受信する手段、
前記宛先に割り当てられる余地のあるチャネル要素の個数に従って少なくとも１つのランダム化機能を選択するとともに、選択されたランダム化機能を割り当てられたチャネル要素の位置に従いさらに選択する
手段、
前記少なくとも１つの選択されたランダム化機能によって、少なくとも１つのチャネル要素上にマッピングされた前記受信データを処理する手段、及び
前記処理された受信データから、少なくとも１つのチャネル要素が前記宛先に割り当てられているか否かを判断する手段、
を含むことを特徴とする、装置。
【発明の詳細な説明】
【技術分野】
【０００１】
本発明は、チャネル資源のチャネル要素群の少なくとも１つのチャネル要素を電気通信装置によって宛先に割り当てる方法及び装置に関する。
【０００２】
これと相関して、本発明は、チャネル資源のチャネル要素群の少なくとも１つのチャネル要素が第１の電気通信装置によって宛先に割り当てられているか否かを判断する方法及び装置に関する。
【背景技術】
【０００３】
いくつかの古典的な無線セルラー電気通信ネットワークでは、基地局は、その基地局のカバレッジエリア内に位置する少なくとも１つの移動端末と通信する。基地局は、電気通信ネットワークのチャネル資源の複数の部分をその移動端末に割り当てる。
【０００４】
チャネル資源は、基地局及び移動端末がいくつかのアンテナを有する場合には、周波数帯域幅の量、時間の量、又は空間的次元の量として定義される。チャネル資源の一部を以下ではチャネル要素という名称で呼ぶ。チャネル要素は、チャネル資源の所定の一区分である。
【０００５】
各チャネル要素は、チャネル資源の資源要素で構成される。例として、単一アンテナＯＦＤＭ伝送の場合、１つの資源要素は、１つのＯＦＤＭシンボルの１つのトーン又は１つの副搬送波である。
【０００６】
基地局は、各移動端末に対して、１つ又は複数のどのチャネル要素が、その移動端末に割り当てられるのかを示す必要がある。複数のチャネル要素が１つの移動端末に割り当てられるとき、これらのチャネル要素は、チャネル要素群のサブセットのチャネル要素である。
【０００７】
チャネル要素は、ダウンリンク送信及び／又はアップリンク送信のために割り当てられる。ダウンリンク送信は、基地局から１つ又はいくつかの移動端末への送信である。アップリンク送信は、１つの移動端末から基地局への送信である。
【０００８】
各移動端末に対して、１つ又は複数のどのチャネル要素が、その移動端末に割り当てられるのかを示すために、基地局は、制御チャネル要素で構成される制御チャネル要素群を使用する。
【０００９】
制御チャネル要素は、チャネル資源の資源要素で構成される。例として、単一アンテナＯＦＤＭ伝送の場合、１つの資源要素は、１つのＯＦＤＭシンボルの１つのトーン又は１つの副搬送波である。
【００１０】
各制御チャネル要素サイズによって、畳み込み符号化又はターボ符号化のようなチャネル符号化を表す情報、及び／又は変調方式を表す情報、及び／又はチャネル要素群のサブセットのロケーションを表す情報、及び／又はチャネル要素群のサブセットのために宛先によって使用される時空間符号を表す情報を送信することが可能になる。
【００１１】
各制御チャネル要素上には、要素データがマッピングされる。このデータは、情報及びその情報の古典的な巡回冗長検査（ＣＲＣ）であり、これらの情報及びＣＲＣは、符号化及び変調される。
【００１２】
ＣＲＣは、復号後にエラーが残っているか否かを検査するのに使用されるブロック符号である。
【００１３】
資源割り当ては、各移動端末へ送信される他のデータを、チャネル要素群のチャネル要素で構成されるサブセット上にマッピングする。
【００１４】
１つ又は複数の制御チャネル要素が、例として、基地局と移動端末とを隔てる距離に従って、又は基地局と移動端末との間の通信リンクに存在する減衰及び／若しくは干渉に従って、又は転送されるデータの量に従って、所与の移動端末に割り当てられる。
【００１５】
例として、或る制御チャネル要素にマッピングされるように意図されている、ＣＲＣと結合された情報の符号化及び変調されたものの送信のロバスト性を改善するために、低符号化率を使用されるか、又はＣＲＣと結合された情報の符号化及び変調されたものが複製されて、移動端末に割り当てられる少なくとも１つの他の制御チャネル要素上にマッピングされる。複数の制御チャネル要素が所与の移動端末に割り当てられるとき、これらの制御チャネル要素は連続しているか又は連続していない。
【００１６】
各移動端末が、自身に割り当てられた少なくとも１つのチャネル要素から成るサブセット及びデータの双方を、制御チャネル要素を通じて回復することを可能にするために、基地局は、各制御チャネル要素にマッピングされるデータにおいて宛先移動端末の識別子を示すか、又はＣＲＣと結合された情報の符号化及び変調されたものにより形成されたデータを移動端末の識別子でマスクする。このマスキングされたデータが、各制御チャネル要素にマッピングされる。
【００１７】
各移動端末は、自身に割り当てられた少なくとも１つのチャネル要素から成るサブセット及びデータの双方を、制御チャネル要素を通じて回復しなければならない。より正確に言えば、各移動端末は、自身に割り当てられた制御チャネル要素の個数、及び１つ又は複数のどの制御チャネル要素が自身に割り当てられているのかを知らなければならない。複数の制御チャネル要素が１つの移動端末に割り当てられるとき、その移動端末に割り当てられた制御チャネル要素は、制御チャネル要素群の少なくとも１つのチャネル要素から成るサブセットの制御チャネル要素である。
【００１８】
各移動端末は、各制御チャネル要素に対してマスクを適用し、ＣＲＣと結合された情報の符号化及び変調されたものの復調及び復号に進むと共に、各制御チャネル要素のＣＲＣ検査を行う必要がある。
【００１９】
このようなプロセスは、移動端末のために高処理能力を必要とし、移動端末のコストを増加させる。
【００２０】
２００７年４月２７日に出願された特許文献１は、１つの宛先に割り当てられる各チャネル要素について、チャネル要素群内におけるチャネル要素の位置に従い且つその宛先に従い決定される異なるランダム化機能(the randomisation function)を使用することを提案している。
【００２１】
各チャネル要素に含められるデータは、そのチャネル要素について決定されたランダム化機能により処理され、移動端末へ転送される。
【００２２】
その特許出願は、各チャネル要素及び少なくとも１つのチャネル要素から成る各サブセットについて実施される復号メトリック計算ステップも提案している。この復号メトリックは、処理された受信データの復調されたもの及び使用されるコードの構造の妥当性と共に増加するものである。
【００２３】
チャネル特性に応じて、この方法は、複雑さを減少させる点でより効率的になる場合があり、既知のビタビ処理を使用する。その方法は、時には、少なくとも１つのチャネル要素から成るサブセット及びそのサブセットに含まれるチャネル要素を順序付ける際に問題を有する場合がある。例として、同じデータが２つのチャネル要素上にマッピングされるとき、符号構造は、それらの２つのチャネル要素の累算結果内に存在するが、２つのチャネル要素から成るサブセットの各チャネル要素内にも個別に存在する。その結果、各復号メトリックは、高い値を有する。
【００２４】
雑音及びマルチパスチャネルが存在する状態では、１つのチャネル要素の復号メトリックは、２つのチャネル要素から成るサブセットの復号メトリックよりも高くなる場合がある。したがって、チャネル要素及びチャネル要素のサブセットの最も高い復号メトリックから最も低い復号メトリックへのソートが誤ったものとなる結果、正しいソートと比較して複雑さが増加する。
【先行技術文献】
【特許文献】
【００２５】
【特許文献１】欧州特許出願第０７  ００８６２７号明細書
【００２６】
したがって、本発明の目的は、宛先に使用されるチャネル要素又は少なくとも１つのチャネル要素から成るサブセットを、複数のチャネル要素に対して又はこのサブセットに含まれる複数のサブセットに対して優先順位付けすることを可能にする方法及び装置を提案することである。
【００２７】
この目的のために、本発明は、チャネル資源のチャネル要素群の少なくとも１つのチャネル要素を電気通信装置によって宛先に割り当てるための方法であって、各チャネル要素は、チャネル資源の所定の一区分であり、該方法は、電気通信装置によって実行されるステップであって、
宛先に割り当てられるチャネル要素の個数を求めるステップ、
宛先に割り当てられるチャネル要素の個数に従って少なくとも１つのランダム化機能を選択するステップ、
少なくとも１つの選択されたランダム化機能によって、宛先に割り当てられるチャネル要素又は各チャネル要素に含められるデータを処理するステップ、及び
少なくとも１つの選択されたランダム化機能によって処理されたデータを少なくとも１つのチャネル要素上にマッピングすることにより、少なくとも１つのランダム化機能によって処理されたデータを転送するステップ、
を含むことを特徴とする、方法に関する。
【００２８】
本発明は、チャネル資源のチャネル要素群の少なくとも１つのチャネル要素を宛先に割り当てるための装置であって、各チャネル要素は、チャネル資源の所定の一区分であり、該装置は、
宛先に割り当てられるチャネル要素の個数を求める手段、
宛先に割り当てられるチャネル要素の個数に従って少なくとも１つのランダム化機能を選択する手段、
少なくとも１つの選択されたランダム化機能によって、宛先に割り当てられるチャネル要素又は各チャネル要素に含められるデータを処理する手段、及び
少なくとも１つの選択されたランダム化機能によって処理されたデータを少なくとも１つのチャネル要素上にマッピングすることにより、少なくとも１つのランダム化機能によって処理されたデータを転送する手段、
を含むことを特徴とする、装置にも関する。
【００２９】
したがって、宛先が、誤った個数のチャネル要素を自身に割り当てられたと決定することを回避することが可能である。割り当てられた１つ又は複数のチャネル要素の宛先による決定の複雑さが削減される。
【００３０】
特定の特徴によれば、ランダム化機能はスクランブルシーケンスであり、データの処理は乗算であるか、又は、ランダム化機能はインタリーブ機能であり、データの処理は並べ替え(permutation)である。
【００３１】
したがって、電気通信装置による処理の複雑さ、及び割り当てられた１つ又は複数のチャネル要素の宛先による決定の複雑さが削減される。
【００３２】
特定の特徴によれば、複数のチャネル要素が宛先に割り当てられ、１つのランダム化機能が選択され、宛先に割り当てられる各チャネル要素に含められるデータが、選択されたランダム化機能によって処理される。
【００３３】
したがって、電気通信装置による処理の複雑さ、及び割り当てられた１つ又は複数のチャネル要素の宛先による決定の複雑さが削減され、限られた個数のランダム化機能しか必要とされない。
【００３４】
特定の特徴によれば、本方法は複数の宛先について実行され、各宛先について１つのランダム化機能が選択されると共に、各ランダム化機能はその宛先に従ってさらに選択される。
【００３５】
したがって、電気通信装置による処理の複雑さ、及び宛先に割り当てられる１つ又は複数のチャネル要素の各宛先による決定の複雑さが削減される。
【００３６】
特定の特徴によれば、チャネル要素が宛先に割り当てられ、１つのランダム化機能が選択され、各選択されたランダム化機能がチャネル要素群内における割り当てられたチャネル要素の位置に従ってさらに選択される。
【００３７】
したがって、データの符号構造は効率的に分解される。
【００３８】
特定の特徴によれば、複数のチャネル要素が宛先に割り当てられ、宛先に割り当てられた各チャネル要素について１つのランダム化機能が選択され、各選択されたランダム化機能が、チャネル要素群内における、ランダム化機能が選択されるチャネル要素の位置に従ってさらに選択される。
【００３９】
したがって、データの符号構造は効率的に分解され、宛先に割り当てられる１つ又は複数のチャネル要素の宛先による決定の複雑さが削減される。
【００４０】
特定の特徴によれば、チャネル要素のサブセットの複数のチャネル要素が宛先に割り当てられ、宛先に割り当てられた各チャネル要素について、１つのランダム化機能が選択され、各選択されたランダム化機能が、チャネル要素のサブセット内におけるそのチャネル要素の位置に従ってさらに選択される。
【００４１】
したがって、ランダム化機能の決定は、単純な基準に基づいて実行される。
【００４２】
特定の特徴によれば、チャネル要素のサブセットの複数のチャネル要素が宛先に割り当てられ、宛先に割り当てられた各チャネル要素について１つのランダム化機能が選択され、各選択されたランダム化機能が、チャネル要素のサブセット内におけるチャネル要素の位置に従い且つチャネル要素群内における宛先に割り当てられた各チャネル要素の位置に従いさらに選択される。
【００４３】
したがって、ランダム化機能の決定は、単純な基準に基づいて実行される。
【００４４】
特定の特徴によれば、データは、情報の巡回冗長と結合された該情報を変調及び符号化することによって形成される。
【００４５】
特定の特徴によれば、宛先は、別の電気通信装置又は該別の電気通信装置によって実行されるアプリケーションである。
【００４６】
したがって、別の電気通信装置は、１つ又は複数のチャネル要素が１つ又は複数のどのアプリケーションに割り当てられているのかを識別することが可能である。該別の電気通信装置内に埋め込まれている異なる複数のアプリケーションを区別することができる。
【００４７】
特定の特徴によれば、チャネル要素は制御チャネル要素であり、データは、チャネル要素群のサブセットについて宛先により使用される変調方式及び／若しくは符号化方式、並びに／又は該チャネル要素群のサブセットのロケーション、並びに／又は該チャネル要素群のサブセットについて宛先により使用される時空間符号を表す。
【００４８】
したがって、本発明は、チャネル要素の割り当てが電気通信装置のレベルで集中化(centralized)されているシステムにおいて特に効率的である。
【００４９】
特定の特徴によれば、１つの宛先に割り当てられるチャネル要素は、チャネル要素群において連続したチャネル要素である。
【００５０】
したがって、サブセットの個数が削減されるので、宛先に割り当てられる１つ又は複数のチャネル要素の宛先による決定が削減される。
【００５１】
本発明は、チャネル資源のチャネル要素群の少なくとも１つのチャネル要素が第１の電気通信装置によって宛先に割り当てられているか否かを判断するための方法であって、各チャネル要素は、チャネル資源の所定の一区分であり、該方法は、宛先によって実行されるステップであって、
受信データがマッピングされているチャネル要素群を受信するステップ、
宛先に割り当てられる余地のあるチャネル要素の個数に従って少なくとも１つのランダム化機能を選択するステップ、
少なくとも１つの選択されたランダム化機能によって、少なくとも１つのチャネル要素上にマッピングされた受信データを処理するステップ、及び
処理された受信データから、少なくとも１つのチャネル要素が宛先に割り当てられているか否かを判断するステップ、
を含むことを特徴とする方法にも関する。
【００５２】
本発明は、チャネル資源のチャネル要素群の少なくとも１つのチャネル要素が第１の電気通信装置によって宛先に割り当てられているか否かを判断する装置であって、各チャネル要素は、チャネル資源の所定の一区分であり、該チャネル資源のチャネル要素群の少なくとも１つのチャネル要素が第１の電気通信装置によって宛先に割り当てられているか否かを判断する装置は、
受信データがマッピングされているチャネル要素群を受信する手段、
宛先に割り当てられる余地のあるチャネル要素の個数に従って少なくとも１つのランダム化機能を選択する手段、
少なくとも１つの選択されたランダム化機能によって、少なくとも１つのチャネル要素上にマッピングされた受信データを処理する手段、及び
処理された受信データから、少なくとも１つのチャネル要素が宛先に割り当てられているか否かを判断する手段、
を含むことを特徴とする、装置にも関する。
【００５３】
したがって、宛先が、誤った個数のチャネル要素を自身に割り当てられたと決定することを回避することが可能である。割り当てられた１つ又は複数のチャネル要素の宛先による決定の複雑さが削減される。
【００５４】
特定の特徴によれば、宛先は、
宛先に割り当てられる余地のあるチャネル要素の別の個数に従って少なくとも１つの他のランダム化機能を選択し、
少なくとも１つの他の選択されたランダム化機能によって、少なくとも１つのチャネル要素上にマッピングされた受信データを処理し、
少なくとも１つのチャネル要素が宛先に割り当てられているか否かの判断は、選択されたランダム化機能によって処理され且つ他の選択されたランダム化機能によって処理された受信データから実行される。
【００５５】
したがって、チャネル要素の異なるサイズの複数のサブセットを処理することが可能である。
【００５６】
特定の特徴によれば、少なくとも１つのランダム化機能は、宛先に割り当てられる余地のあるチャネル要素の個数に従って選択される１つのランダム化機能であり、チャネル要素群の１つのチャネル要素上にマッピングされた各受信データは、ランダム化機能によって処理される。
【００５７】
したがって、割り当てられた１つ又は複数のチャネル要素の宛先による決定の複雑さが削減され、限られた数のランダム化機能しか必要とされない。
【００５８】
特定の特徴によれば、少なくとも１つの他のランダム化機能は、宛先に割り当てられる余地のあるチャネル要素の別の個数に従って選択される１つのランダム化機能であり、チャネル要素群の１つのチャネル要素上にマッピングされた各受信データは、他のランダム化機能によって処理される。
【００５９】
したがって、割り当てられた１つ又は複数のチャネル要素の宛先による決定の複雑さが削減され、限られた数のランダム化機能しか必要とされない。
【００６０】
特定の特徴によれば、宛先は、
少なくとも１つの他の選択されたランダム化機能によって少なくとも１つのチャネル要素上にマッピングされた受信データの処理されたものから第１のメトリックを求め、
少なくとも１つの他の選択されたランダム化機能によって少なくとも１つのチャネル要素上にマッピングされた受信データの処理されたものから第２のメトリックを求め、
少なくとも１つのチャネル要素から成る１つのサブセットのチャネル要素が宛先に割り当てられているか否かの判断は、求められたメトリックを使用して実行される。
【００６１】
したがって、割り当てられた１つ又は複数のチャネル要素の宛先による決定は、実行するのが単純となる。
【００６２】
特定の特徴によれば、チャネル要素群の各チャネル要素について１つのランダム化機能を含む、少なくとも１つのランダム化機能から成るサブセットが、宛先に割り当てられる余地のあるチャネル要素の個数に従って選択され、チャネル要素群の１つのチャネル要素上にマッピングされた各受信データが、そのチャネル要素のランダム化機能によって処理される。
【００６３】
したがって、割り当てられたチャネル要素の宛先による決定は、実行するのが単純となる。
【００６４】
特定の特徴によれば、チャネル要素群の各チャネル要素について１つのランダム化機能を含む、少なくとも１つのランダム化機能から成る別のサブセットが、宛先に割り当てられる余地のあるチャネル要素の個数に従って選択され、チャネル要素群の１つのチャネル要素上にマッピングされた各受信データは、そのチャネル要素のランダム化機能によって処理される。
【００６５】
したがって、データの符号構造は効率的に分解され、宛先に割り当てられる１つ又は複数のチャネル要素の宛先による決定の複雑さが削減される。
【００６６】
特定の特徴によれば、宛先は、
少なくとも１つのランダム化機能から成る選択されたサブセットによって少なくとも１つのチャネル要素上にマッピングされた受信データの処理されたものから第１のメトリックを求め、
少なくとも１つのランダム化機能から成る別の選択されたサブセットによって少なくとも１つのチャネル要素上にマッピングされた受信データの処理されたものから第２のメトリックを求め、
少なくとも１つのチャネル要素から成る１つのサブセットのチャネル要素が宛先に割り当てられているか否かの判断は、求められたメトリックを使用して実行される。
【００６７】
したがって、割り当てられた１つ又は複数のチャネル要素の宛先による決定は、実行するのが単純となる。
【００６８】
特定の特徴によれば、複数のチャネル要素が宛先に割り当てられ、宛先は、チャネル要素群の少なくとも１つのチャネル要素から成る第１のサブセットを選択し、チャネル要素の第１のサブセットの各チャネル要素について、１つのランダム化機能が選択され、各選択されたランダム化機能は、チャネル要素の第１のサブセット内におけるそのチャネル要素の位置に従ってさらに選択され、第１のサブセットの１つのチャネル要素上にマッピングされた各受信データは、少なくとも１つのチャネル要素から成る第１のサブセット内におけるそのチャネル要素の位置に対応するランダム化機能によって処理される。
【００６９】
したがって、ランダム化機能の決定は、単純な基準に基づいて実行される。
【００７０】
特定の特徴によれば、宛先は、チャネル要素群の少なくとも１つのチャネル要素から成る第２のサブセットを選択し、該少なくとも１つのチャネル要素から成る第２のサブセットは、第１のサブセットと同じ個数のチャネル要素を含み、第２のサブセットの１つのチャネル要素上にマッピングされた各受信データは、少なくとも１つのチャネル要素から成る第２のサブセット内におけるそのチャネル要素の位置に対応するランダム化機能によって処理される。
【００７１】
したがって、ランダム化機能の決定は、単純な基準に基づいて実行される。
【００７２】
特定の特徴によれば、宛先は、チャネル要素群の少なくとも１つのチャネル要素から成る第３のサブセットを選択し、該少なくとも１つのチャネル要素から成る第３のサブセットは、第１のサブセットとは異なる個数のチャネル要素を含み、宛先は、少なくとも１つのチャネル要素から成る第３のサブセットの各チャネル要素について１つの第２のランダム化機能を選択し、各第２の選択されたランダム化機能は、少なくとも１つのチャネル要素から成る第３のサブセット内におけるそのチャネル要素の位置に従ってさらに選択され、第３のサブセットの１つのチャネル要素上にマッピングされた各受信データは、少なくとも１つのチャネル要素から成る第３のサブセット内におけるそのチャネル要素の位置に対応する第２のランダム化機能によって処理される。
【００７３】
したがって、ランダム化機能の決定は、単純な基準に基づいて実行される。
【００７４】
特定の特徴によれば、宛先は、
第１のサブセットのチャネル要素上にマッピングされた受信データの処理されたものから第１のメトリックを求め、
第２のサブセットのチャネル要素上にマッピングされた受信データの処理されたものから第２のメトリックを求め、
第３のサブセットのチャネル要素上にマッピングされた受信データの処理されたものから第３のメトリックを求め、
少なくとも１つのチャネル要素から成る１つのサブセットのチャネル要素が宛先に割り当てられているか否かの判断は、求められたメトリックを使用して実行される。
【００７５】
したがって、割り当てられた１つ又は複数のチャネル要素の宛先による決定は、実行するのが単純となる。
【００７６】
特定の特徴によれば、複数のチャネル要素が宛先に割り当てられ、宛先は、チャネル要素群の少なくとも１つのチャネル要素から成る第１のサブセットを選択し、該少なくとも１つのチャネル要素から成る第１のサブセットの各チャネル要素について１つのランダム化機能を選択し、各選択されたランダム化機能は、少なくとも１つのチャネル要素から成る第１のサブセット内におけるそのチャネル要素の位置に従い且つチャネル要素群内における各チャネル要素の位置に従いさらに選択され、第１のサブセットの１つのチャネル要素上にマッピングされた各受信データは、少なくとも１つのチャネル要素から成る第１のサブセット内におけるそのチャネル要素の位置及びチャネル要素群内における各チャネル要素の位置に対応する選択されたランダム化機能によって処理される。
【００７７】
したがって、ランダム化機能の決定は、単純な基準に基づいて実行される。
【００７８】
特定の特徴によれば、宛先は、チャネル要素群の少なくとも１つのチャネル要素から成る第２のサブセットを選択し、該少なくとも１つのチャネル要素から成る第２のサブセットは、少なくとも１つのチャネル要素から成る第１のサブセットと同じ個数のチャネル要素を有し、少なくとも１つのチャネル要素から成る第２のサブセットの各チャネル要素について１つの第２のランダム化機能が選択され、各第２の選択されたランダム化機能は、少なくとも１つのチャネル要素から成る第２のサブセット内におけるそのチャネル要素の位置に従い且つチャネル要素群内における各チャネル要素の位置に従いさらに選択され、第２のサブセットの１つのチャネル要素上にマッピングされた各受信データは、少なくとも１つのチャネル要素から成る第２のサブセット内におけるそのチャネル要素の位置に対応し且つチャネル要素群内における各チャネル要素の位置に従った第２の選択されたランダム化機能によって処理される。
【００７９】
したがって、ランダム化機能の決定は、単純な基準に基づいて実行される。
【００８０】
特定の特徴によれば、宛先は、チャネル要素群の少なくとも１つのチャネル要素から成る第３のサブセットを選択し、該少なくとも１つのチャネル要素から成る第３のサブセットは、少なくとも１つのチャネル要素から成る第１のサブセットと異なる個数のチャネル要素を有し、少なくとも１つのチャネル要素から成る第３のサブセットの各チャネル要素について１つの第３のランダム化機能が選択され、各第３の選択されたランダム化機能は、少なくとも１つのチャネル要素から成る第３のサブセット内におけるそのチャネル要素の位置に従い且つチャネル要素群内における各チャネル要素の位置に従いさらに選択され、第３のサブセットの１つのチャネル要素上にマッピングされた各受信データは、少なくとも１つのチャネル要素から成る第３のサブセット内におけるそのチャネル要素の位置に対応し且つチャネル要素群内における各チャネル要素の位置に従った第３の選択されたランダム化機能によって処理される。
【００８１】
したがって、ランダム化機能の決定は、単純な基準に基づいて実行される。
【００８２】
特定の特徴によれば、宛先は、
第１のサブセットのチャネル要素上にマッピングされた受信データの処理されたものから第１のメトリックを求め、
第２のサブセットのチャネル要素上にマッピングされた受信データの処理されたものから第２のメトリックを求め、
第３のサブセットのチャネル要素上にマッピングされた受信データの処理されたものから第３のメトリックを求め、
少なくとも１つのチャネル要素から成る１つのサブセットのチャネル要素が宛先に割り当てられているか否かの判断は、求められたメトリックを使用して実行される。
【００８３】
したがって、割り当てられた１つ又は複数のチャネル要素の宛先による決定は、実行するのが単純となる。
【００８４】
さらに別の態様によれば、本発明は、プログラマブル装置内に直接ロード可能とすることができるコンピュータプログラムであって、該コンピュータプログラムがプログラマブル装置上で実行されると、本発明による方法のステップを実施するための命令又はコード部を含む、コンピュータプログラムに関する。
【００８５】
コンピュータプログラムに関連する特徴及び利点は、本発明による方法及び装置に関連して上記で述べたものと同じであるので、ここでは繰り返さないことにする。
【００８６】
さらに別の態様によれば、本発明は、電気通信装置によって宛先へ転送される信号であって、該信号は、チャネル資源のチャネル要素群の少なくとも１つのチャネル要素の宛先への割り当てを表し、各チャネル要素は、チャネル資源の所定の一区分であり、該信号は、少なくとも１つのチャネル要素上にマッピングされたデータを含み、データは、少なくとも１つのランダム化機能によって処理され、なお、少なくとも１つのランダム化機能は、宛先に割り当てられるチャネル要素の個数を表すことを特徴とする、信号に関する。
【００８７】
信号に関連する特徴及び利点は、本発明による方法及び装置に関連して上記で述べたものと同じであるので、ここでは繰り返さないことにする。
【００８８】
本発明の特徴は、一例の実施形態の以下の説明を読むことによってより明らかになる。該説明は、添付図面を参照して作成されたものである。
【図面の簡単な説明】
【００８９】
【図１】本発明による電気通信ネットワークのアーキテクチャを表す図である。
【図２】本発明による第１の電気通信装置のブロック図である。
【図３】本発明による第２の電気通信装置のブロック図である。
【図４】本発明の第１の実現モードによる制御チャネル要素に対して第１の電気通信装置及び第２の電気通信装置により実行される異なる複数のオペレーションを示す図である。
【図５】本発明の第２の実現モードによる制御チャネル要素に対して第１の電気通信装置及び第２の電気通信装置により実行される異なる複数のオペレーションを示す図である。
【図６】本発明の第３の実現モードによる制御チャネル要素に対して第１の電気通信装置及び第２の電気通信装置により実行される異なる複数のオペレーションを示す図である。
【図７】本発明の第４の実現モードによる制御チャネル要素に対して第１の電気通信装置及び第２の電気通信装置により実行される異なる複数のオペレーションを示す図である。
【図８】制御チャネル要素群が６つの制御チャネル要素を含む一実施例における制御チャネル要素群のチャネル要素及びサブセットを示す図である。
【図９】制御チャネルが６つの制御チャネル要素を含む一実施例における制御チャネル要素群の各制御チャネル要素に含まれるシンボルの一例を示す図である。
【図１０】本発明による第１の電気通信装置によって実行されるアルゴリズムを示す図である。
【図１１】本発明による各第２の電気通信装置によって実行されるアルゴリズムを示す図である。
【図１２】本発明の一変形による各第２の電気通信装置によって実行されるアルゴリズムを示す図である。
【００９０】
図１は、本発明による電気通信ネットワークのアーキテクチャを表す図である。
【００９１】
本発明は、無線セルラーネットワーク又はローカルエリアネットワークのような無線ネットワークにおいて説明されるが、本発明は、電力線ネットワークのような有線ネットワークにも適用可能である。
【００９２】
簡単にするために、図１には、１つの第１の電気通信装置ＢＳの１つのカバレッジエリア５０しか示されていないが、実際には、特に無線ネットワークが無線セルラーネットワークであるときは、無線セルラー電気通信ネットワークは、より大きな個数の第１の電気通信装置ＢＳ及びより大きな個数のカバレッジエリア５０で構成される。
【００９３】
図１の電気通信ネットワークでは、少なくとも１つではあるが好ましくは複数の第２の電気通信装置ＵＥ１、ＵＥ２、及びＵＥ３が、第１の電気通信装置ＢＳのカバレッジエリア５０内に含まれる。
【００９４】
簡単にするために、図１には、３つの第２の電気通信装置ＵＥしか示されていないが、実際には、より大きな個数の第２の電気通信装置ＵＥが、第１の電気通信装置ＢＳのカバレッジエリア５０内に存在する。
【００９５】
第１の電気通信装置ＢＳは、基地局又はノードＢ又はノード又はエンハンストノードＢ又はアクセスポイントである。
【００９６】
第２の電気通信装置ＵＥは、例として、移動電話、携帯情報端末又はパーソナルコンピュータ又はコンピュータ周辺装置である。
【００９７】
図１の例によれば、第１の電気通信装置ＢＳは、少なくとも１つの第２の電気通信装置ＵＥと通信することを意図している。そのために、第１の電気通信装置ＢＳは、電気通信ネットワークチャネル資源の複数の部分を、少なくとも１つの第２の電気通信装置ＵＥに割り当てる。
【００９８】
従来技術で開示したように、第１の電気通信装置ＢＳは、各第２の電気通信装置ＵＥに対して、１つ又は複数のどのチャネル要素が、ダウンリンク送信及び／又はアップリンク送信のためにその第２の電気通信装置ＵＥに割り当てられるのかを示す必要がある。
【００９９】
そのために、第１の電気通信装置ＢＳは、制御チャネル要素で構成される制御チャネル要素群を使用する。
【０１００】
１つ又は複数の制御チャネル要素が、例として、第１の電気通信装置ＢＳと第２の電気通信装置ＵＥとを隔てる距離に従って、又は第１の電気通信装置ＢＳと第２の電気通信装置ＵＥとの間の通信リンクに存在する減衰若しくは干渉に従って、又は転送されるデータの量に従って、所与の第２の電気通信装置ＵＥに割り当てられる。
【０１０１】
複数の制御チャネル要素が所与の第２の電気通信装置ＵＥに割り当てられるとき、これらの制御チャネル要素は連続しているか又は連続していない。
【０１０２】
第２の電気通信装置ＵＥに割り当てられる１つ若しくは複数のチャネル要素又は１つ若しくは複数の制御チャネル要素は、チャネル要素群又は制御チャネル要素群のサブセットの１つ若しくは複数のチャネル要素又は１つ若しくは複数の制御チャネル要素である。
【０１０３】
チャネル要素又は制御チャネル要素は、チャネル要素群のサブセット内における位置又は制御チャネル要素群のサブセット内における位置を有する。
【０１０４】
チャネル要素又は制御チャネル要素は、チャネル要素群又は制御チャネル要素群における位置を有する。
【０１０５】
第１の電気通信装置及び第２の電気通信装置は、同じルールを使用してチャネル要素の位置又は制御チャネル要素の位置を求める。
【０１０６】
本発明によれば、各第２の電気通信装置ＵＥが、自身に割り当てられた１つ又は複数のチャネル要素及びデータの双方を、制御チャネル要素群を通じて回復することを可能にするために、第１の電気通信装置ＢＳは、情報のＣＲＣと結合された当該情報の符号化及び変調されたものによって形成されたデータを処理し、処理されたデータを制御チャネル要素上にマッピングする。このデータは、宛先に割り当てられる制御チャネル要素の個数に従って決まるランダム化機能によって処理される。
【０１０７】
ランダム化機能は、データの繰り返し構造を断つことを目的としたスクランブルシーケンス又はインタリーブ機能である。
【０１０８】
ランダム化機能がスクランブルシーケンスであるとき、データの処理（プロセス）は、データとスクランブルシーケンスとの乗算となる。
【０１０９】
ランダム化機能がインタリーブ機能であるとき、データの処理は、インタリーブ機能によるデータの並べ替え(permutation)となる。
【０１１０】
本発明では、データのコード構造を断つ他の任意の技法を使用することができる。
【０１１１】
１つ若しくは複数のチャネル要素又は１つ若しくは複数の制御チャネル要素が割り当てられる宛先は、第２の電気通信装置ＵＥであり、より正確に言えば、第２の電気通信装置ＵＥ上で実行されるアプリケーションである。アプリケーションは、ダウンリンクチャネルを通じたデータの受信を管理するアプリケーション、又はアップリンクチャネルを通じたデータの転送を管理するアプリケーション、又はビデオアプリケーション若しくは音声アプリケーションに関連するデータのような特定のデータの受信及び／若しくは転送のような他の任意のアプリケーションのいずれかである。
【０１１２】
このアプリケーションが、ダウンリンクチャネルを通じたデータの受信を管理するアプリケーションであるとき、割り当てられた１つ又は複数の制御チャネル要素は、ダウンリンクチャネルを通じたデータの受信を管理するアプリケーションを実行する第２の電気通信装置ＵＥによる、ダウンリンクチャネルを通じたデータの受信を許可する。
【０１１３】
このアプリケーションが、ダウンリンクチャネルを通じたデータの受信を管理するアプリケーションであるとき、割り当てられた１つ又は複数のチャネル要素は、ダウンリンクチャネルを通じたデータの受信を管理するアプリケーションを実行する第２の電気通信装置ＵＥによる、それらの割り当てられた１つ又は複数のチャネル要素上でのダウンリンクチャネルを通じたデータの受信を許可する。
【０１１４】
このアプリケーションが、アップリンクチャネルを通じたデータの転送を管理するアプリケーションであるとき、割り当てられた１つ又は複数のチャネル制御要素は、アップリンクチャネルを通じたデータの転送を管理するアプリケーションを実行する第２の電気通信装置ＵＥによる、アップリンクチャネルを通じたデータの転送を許可する。
【０１１５】
このアプリケーションが、アップリンクチャネルを通じたデータの転送を管理するアプリケーションであるとき、割り当てられた１つ又は複数のチャネル要素は、アップリンクチャネルを通じたデータの転送を管理するアプリケーションを実行する第２の電気通信装置ＵＥによる、それらの割り当てられた１つ又は複数のチャネル要素上でのアップリンクチャネルを通じたデータの転送を許可する。
【０１１６】
ランダム化機能がスクランブルシーケンスであるとき、スクランブルシーケンスは、制御チャネル要素が割り当てられる第２の電気通信装置ＵＥの少なくとも１つの識別子の少なくとも一部から導出することができる。この識別子の一部は、少なくとも宛先に割り当てられるチャネル要素の個数に従って、第２の電気通信装置ＵＥの少なくとも１つの識別子の複数の部分の中から決定される。
【０１１７】
ランダム化機能がインタリーブ機能であるとき、インタリーブ機能は、制御チャネル要素が割り当てられる第２の電気通信装置ＵＥの少なくとも１つの識別子から導出することができる。インタリーブ機能のそれぞれは、他のインタリーブ機能とは異なる。
【０１１８】
第２の電気通信装置ＵＥの識別子は、その第２の電気通信装置ＵＥを、第１の電気通信装置ＢＳのカバレッジエリア５０内に含まれる他の第２の電気通信装置ＵＥの中から一意に識別する情報であるか、又はその第２の電気通信装置ＵＥを、電気通信ネットワークの少なくとも一部に含まれる他の第２の電気通信装置ＵＥの中から一意に識別する情報である。
【０１１９】
第２の電気通信装置ＵＥは、２つ以上の識別子を有することができる。例として、或る識別子は、第２の電気通信装置ＵＥに対して、１つ又は複数のどのチャネル要素がダウンリンク送信のためにその第２の電気通信装置ＵＥに割り当てられるのかを示すのに使用することができ、別の識別子は、その第２の電気通信装置ＵＥに対して、１つ又は複数のどのチャネル要素がアップリンク送信のためにその第２の電気通信装置ＵＥに割り当てられるのかを示すのに使用することができる。
【０１２０】
別の例によれば、第２の電気通信装置ＵＥ上で実行される異なるアプリケーションに対して、１つ又は複数のどのチャネル要素がそれらのアプリケーションにそれぞれ割り当てられるのか示すのに、異なる複数の識別子が使用される。
【０１２１】
ここで、各スクランブルシーケンスは、古典的な符号割り当て方法から決定でき、特に、符号間の最大距離を保証する符号割り当て方法から決定できることに留意しなければならない。
【０１２２】
例として、（２Ｔ，ＮＵＥＩＤ＋ＮＣＥｉｎｄｅｘ，Ｄｈｍｉｎ）線形符号が使用される、すなわち、入力長ＮＵＥＩＤ＋ＮＣＥｉｎｄｅｘ及び２Ｔの出力長を有する線形符号が使用される場合、ここで、Ｔは、制御チャネル要素のための変調シンボルの個数であり、換言すれば、１つの制御チャネル要素当たりの資源要素の個数である。この符号の最小ハミング距離は、Ｄｈｍｉｎである。２Ｔビットは、ブール排他的ＯＲマスクを使用するＱＰＳＫ変調の場合に直接使用することができるか、又は任意の変調の場合にＴ個の複素シンボルを形成するのに使用することができる。Ｔ個の複素シンボルは、（２ｃ2i−１）＋ｊ（２ｃ2i+1−１）の形態にある。ここで、ｃxは、位置ｘにおけるビットの値である。２NUEIDは、第２の電気通信装置ＵＥの識別子の総数であり、２NCEindexは、１つの識別子当たりのスクランブルシーケンスの個数である。
【０１２３】
本発明の第１の実現モードによれば、ＮＣＥｉｎｄｅｘビットによって、所与の宛先のスクランブルシーケンスを、少なくとも１つの制御チャネル要素から成るサブセットの或るサイズから少なくとも１つの制御チャネル要素から成るサブセットの別のサイズへ変更することが可能になる。ＮＣＥｉｎｄｅｘは、ｌｏｇ2（ＮＡｇｇ）以上の最も近い整数に等しい。ここで、ＮＡｇｇは、宛先に割り当てることができる少なくとも１つの制御チャネル要素から成るサブセットの可能なサイズの個数である。
【０１２４】
本発明の第２の実現モードによれば、ＮＣＥｉｎｄｅｘビットによって、所与の宛先のスクランブルシーケンスを、少なくとも１つの制御チャネル要素から成るサブセットの或るサイズから少なくとも１つの制御チャネル要素から成るサブセットの別のサイズへ変更し、或る制御チャネル要素から別の制御チャネル要素へ変更することが可能になる。
【０１２５】
ＮＣＥｉｎｄｅｘは、ｌｏｇ2（ＮＡｇｇ＊Ｎ）以上の最も近い整数に等しい。ここで、Ｎは、制御チャネル要素群の制御チャネル要素の個数である。
【０１２６】
本発明の第３の実現モードによれば、ＮＣＥｉｎｄｅｘビットによって、所与の宛先のスクランブルシーケンスを、少なくとも１つの制御チャネル要素から成るサブセットの或るサイズから少なくとも１つの制御チャネル要素から成るサブセットの別のサイズへ変更し、或る制御チャネル要素から別の制御チャネル要素へ変更することが可能になる。ＮＣＥｉｎｄｅｘは、
【０１２７】
【数１】
0005520216.tif 000002
【０１２８】
以上の最も近い整数に等しい。ここで、Ａｇｇ（１）、Ａｇｇ（２）、…、Ａｇｇ（Ｎａｇｇ）は、宛先に割り当てことができる少なくとも１つの制御チャネル要素から成るサブセット内の制御チャネル要素のＮａｇｇ個の可能な個数である。
【０１２９】
本発明の第４の実現モードによれば、ＮＣＥｉｎｄｅｘビットによって、所与の宛先のスクランブルシーケンスを、少なくとも１つの制御チャネル要素から成るサブセットの或るサイズから少なくとも１つの制御チャネル要素から成るサブセットの別のサイズへ変更し、少なくとも１つの制御チャネル要素から成るサブセットから少なくとも１つの制御チャネル要素から成る別のサブセットへ変更することが可能になる。ＮＣＥｉｎｄｅｘビットは、
【０１３０】
【数２】
0005520216.tif 000003
【０１３１】
以上の最も近い整数に等しい。ここで、Ｎsubset（ｉ）は、少なくとも１つの制御チャネル要素から成るサブセットｉにおける制御チャネル要素の個数である。
【０１３２】
２つの第２の電気通信装置ＵＥのような２つの宛先が、異なった識別子、及びＣＲＣと結合された情報の符号化されたものの同じ値を有する場合、それらのスクランブルシーケンスは、少なくともＤｈｍｉｎビットのハミング距離だけ隔てられている。
【０１３３】
線形符号が、畳み込み又は巡回である場合、第１の電気通信装置ＢＳは、すべての第２の電気通信装置ＵＥのすべてのスクランブルシーケンスを生成する必要はない。第１の電気通信装置ＢＳは、符号の出力において１つの制御チャネル要素をスクランブルするための２Ｔビットを得るために、線形符号の入力において、ＮＣＥｉｎｄｅｘ＋ＮＵＥＩＤビットを正しく設定することにより、瞬時資源割り当て方式（instantaneous resource allocation scheme）に従ってスクランブルシーケンスを生成する。このプロセスは、後続のチャネル要素に関して繰り返される。各第２の電気通信装置ＵＥは、自身のスクランブルシーケンスを記憶することもできるし、オンザフライでスクランブルシーケンスを生成することもできる。
【０１３４】
例として、ＮＵＥＩＤが１６に等しく、ＮＣＥｉｎｄｅｘが６に等しく、Ｔが３５に等しい場合、符号は、７０分の２２のレート（rate）を有する必要がある。
【０１３５】
２２ビットの入力ビットについて１４の拘束長を有する畳み込み符号は、（２２＋１３）×２＝７０ビットの出力ビットを提供し、Ｄｈｍｉｎは１６に等しい。
【０１３６】
２２ビットの入力ビットについて３の拘束長を有する畳み込み符号は、（２２＋２）×３＝７２ビットの出力ビットを提供し、Ｄｈｍｉｎは８に等しい。
【０１３７】
別の例では、６９分の１９のレートを有する代数幾何符号が、２１ビットのハミング距離を提供する。この代数幾何符号は、通常ならば特定のブロック符号であるゴッパ（Goppa）符号として知られている。
【０１３８】
各第２の電気通信装置ＵＥは、自身に割り当てられた少なくとも１つのチャネル要素から成るサブセット及びデータの双方を、制御チャネル要素を通じて回復しなければならない。より正確に言えば、各第２の電気通信装置ＵＥは、自身に割り当てられた制御チャネル要素の個数、及び１つ又は複数のどの制御チャネル要素が自身に割り当てられているのかを知らなければならない。
【０１３９】
図８は、制御チャネル要素群が６つの制御チャネル要素を含む一実施例における制御チャネル要素群のサブセットを示す。
【０１４０】
列８００〜８０５は、第２の電気通信装置ＵＥに割り当てられる余地のある、１つの制御チャネル要素から成る異なる複数の可能なサブセットを含む。
【０１４１】
列８０６〜８１０は、２つの制御チャネル要素で構成される、異なる複数の可能なサブセットを含む。
【０１４２】
列８０６は、列８０６において×印によりマーキングされた制御チャネル要素ＣＣＥ１及びＣＣＥ２で構成されるサブセットを含む。
【０１４３】
列８０７は、列８０７において×印によりマーキングされた制御チャネル要素ＣＣＥ２及びＣＣＥ３で構成される別のサブセットを含み、列８０８は、列８０８において×印によりマーキングされた制御チャネル要素ＣＣＥ３及びＣＣＥ４で構成される別のサブセットを含む。以下、列８１０まで同様である。
【０１４４】
列８１１〜８１４は、３つの制御チャネル要素で構成される異なる複数の可能なサブセットを含む。列８１５〜８１７は、４つの制御チャネル要素で構成される異なる可能なサブセットを含む。列８１８及び８１９は、５つの制御チャネル要素で構成される異なる複数の可能なサブセットを含み、列８２０は、６つの制御チャネル要素で構成されるサブセットを含む。
【０１４５】
制御チャネル要素ＣＣＥ１は、制御チャネル要素群における１番目の位置を有し、制御チャネル要素ＣＣＥ２は、制御チャネル要素群における２番目の位置を有し、制御チャネル要素ＣＣＥ３は、制御チャネル要素群における３番目の位置を有し、制御チャネル要素ＣＣＥ４は、制御チャネル要素群における４番目の位置を有し、制御チャネル要素ＣＣＥ５は、制御チャネル要素群における５番目の位置を有し、制御チャネル要素ＣＣＥ６は、制御チャネル要素群における６番目の位置を有する。
【０１４６】
制御チャネル要素ＣＣＥ２は、列８０７において×印によりマーキングされたサブセットにおける１番目の位置を有し、制御チャネル要素ＣＣＥ３は、列８０７において×印によりマーキングされたサブセットにおける２番目の位置を有する。
【０１４７】
図２は、本発明による第１の電気通信装置のブロック図である。
【０１４８】
第１の電気通信装置ＢＳは、例えば、バス２０１によって互いに接続されたコンポーネントと、図１０に開示するようなアルゴリズムに関連するプログラムによって制御されるプロセッサ２００とからなるアーキテクチャを有する。
【０１４９】
ここで、第１の電気通信装置ＢＳは、一変形では、以下で開示するようなプロセッサ２００によって実行されるオペレーションと同じオペレーションを実行する１つ又はいくつかの専用集積回路の形態で実施されることに留意しなければならない。
【０１５０】
バス２０１は、プロセッサ２００を、読み出し専用メモリＲＯＭ２０２、ランダムアクセスメモリＲＡＭ２０３、及びチャネルインタフェース２０５にリンクする。
【０１５１】
読み出し専用メモリＲＯＭ２０２は、図１０に開示するようなアルゴリズムに関連するプログラムの命令を含む。これらの命令は、第１の電気通信装置ＢＳの電源が投入された際に、ランダムアクセスメモリＲＡＭ２０３へ転送される。
【０１５２】
ＲＡＭメモリ２０３は、変数と、図１０に開示するようなアルゴリズムに関連するプログラムの命令とを収容するように意図されたレジスタを含む。
【０１５３】
プロセッサ２００は、少なくとも、宛先に割り当てられるチャネル要素の個数に従って、ランダム化機能を決定することができ、複数の第２の電気通信装置ＵＥがカバレッジエリア５０内に含まれるときは、図４〜図７を参照して開示したように制御チャネル要素が割り当てられる宛先に従って、ランダム化機能を決定することができる。
【０１５４】
無線インターフェース２０６は、符号化手段及び変調手段も備える。
【０１５５】
無線インターフェース２０６は、復号手段及び復調手段も備える。
【０１５６】
図３は、本発明による第２の電気通信装置のブロック図である。
【０１５７】
各第２の電気通信装置ＵＥは、例えば、バス３０１によって互いに接続されたコンポーネントと、図１１又は図１２に開示するようなアルゴリズムに関連するプログラムによって制御されるプロセッサ３００とからなるアーキテクチャを有する。
【０１５８】
ここで、第２の電気通信装置ＵＥは、一変形では、以下で開示するようなプロセッサ３００によって実行されるオペレーションと同じオペレーションを実行する１つ又はいくつかの専用集積回路の形態で実施されることに留意しなければならない。
【０１５９】
バス３０１は、プロセッサ３００を、読み出し専用メモリＲＯＭ３０２、ランダムアクセスメモリＲＡＭ３０３、及びチャネルインタフェース３０５にリンクする。
【０１６０】
読み出し専用メモリＲＯＭ３０２は、図１１又は図１２に開示するようなアルゴリズムに関連するプログラムの命令を含む。これらの命令は、第２の電気通信装置ＵＥの電源が投入された際に、ランダムアクセスメモリＲＡＭ３０３へ転送される。
【０１６１】
ＲＡＭメモリ３０３は、変数と、図１１又は図１２に開示するようなアルゴリズムに関連するプログラムの命令とを収容するように意図されるレジスタを含む。
【０１６２】
プロセッサ３００は、各制御チャネル要素について、図４〜図７を参照して開示したように第２の電気通信装置ＵＥに割り当てられる余地の或るチャネル要素の個数に従って、ランダム化機能を決定することができる。
【０１６３】
無線インターフェース３０６は、符号化手段及び変調手段を備える。
【０１６４】
無線インターフェース３０６は、復号手段及び復調手段も備える。
【０１６５】
図４は、本発明の第１の実現モードによる制御チャネル要素に対して第１の電気通信装置及び第２の電気通信装置により実行される異なる複数のオペレーションを示す。
【０１６６】
第１の実現モードによれば、第１の電気通信装置ＢＳによって第２の電気通信装置ＵＥに割り当てられるか又は割り当てられる余地のある制御チャネル要素の各可能な個数に、１つのランダム化機能が関連付けられる。
【０１６７】
制御チャネル要素の或る個数に関連付けられるランダム化機能は、制御チャネル要素の他の個数に関連付けられる各ランダム化機能とは異なる。
【０１６８】
第１の電気通信装置ＢＳのカバレッジエリア５０内に複数の第２の電気通信装置ＵＥが含まれるとき、第１の電気通信装置ＢＳによって１つの第２の電気通信装置ＵＥに割り当てられるか又は割り当てられる余地のある制御チャネル要素の各可能な個数及び各第２の電気通信装置ＵＥに、１つのランダム化機能が関連付けられる。
【０１６９】
各第２の電気通信装置ＵＥに関連付けられる各ランダム化機能は、他の第２の電気通信装置ＵＥに関連付けられる各ランダム化機能とは異なる。
【０１７０】
図４は、１つ又は２つの制御チャネル要素を各第２の電気通信装置ＵＥに割り当てることができる一例において、ランダム化機能がスクランブルシーケンスであるときに実行される異なる複数のオペレーションを開示する。
【０１７１】
図４の例では、２つの制御チャネル要素が各第２の電気通信装置ＵＥ１及びＵＥ２に割り当てられる。
【０１７２】
行４００〜４０２に示すオペレーションは、第１の電気通信装置ＢＳによって実行され、行４０３〜４０６に示すオペレーションは、第２の電気通信装置ＵＥ２によって実行される。
【０１７３】
行４００は、ＣＲＣと結合された情報の符号化及び変調されたものによって形成されたデータを示す。
【０１７４】
行４０１は、マスクとして使用されるスクランブルシーケンスの例を示す。ここで、異なる複数のスクランブルシーケンスが所与の第２の電気通信装置ＵＥに割り当てられることに留意しなければならない。各スクランブルシーケンスは、１つの第２の電気通信装置ＵＥについて、その第２の電気通信装置ＵＥに割り当てられた制御チャネル要素の個数に従って決定される。
【０１７５】
複数の第２の電気通信装置ＵＥがカバレッジエリア５０内に含まれるとき、各スクランブルシーケンスは、そのスクランブルシーケンスが割り当てられる第２の電気通信装置ＵＥに従ってさらに決定される。
【０１７６】
行４０２は、第１の電気通信装置ＢＳが、ＣＲＣと結合された情報の符号化及び変調されたものにより形成されたデータを、上記で開示したように決定された例えばブール排他的ＯＲ等のスクランブルシーケンスによってスクランブルした結果を示す。スクランブルされたデータは、制御チャネル要素上にマッピングされる。
【０１７７】
行４０３及び４０５は、第２の電気通信装置ＵＥ２に割り当てられた制御チャネル要素の予想個数に従って、ＣＲＣと結合された情報の符号化及び変調されたものにより形成されたデータをスクランブル解除又はマスキングするための、第２の電気通信装置ＵＥ２によって決定されたスクランブル解除シーケンスを示す。
【０１７８】
行４０４及び４０６は、第２の電気通信装置ＵＥ２が、ＣＲＣと結合された情報の符号化及び変調されたものを、行４０３及び４０５にそれぞれ示すスクランブル解除シーケンスによってスクランブル解除した結果を示す。
【０１７９】
行４００〜４０２と列４０７との交差箇所は、第２の電気通信装置ＵＥ１に割り当てられた第１の制御チャネル要素について第１の電気通信装置ＢＳにより実行されるオペレーションを示し、行４００〜４０２と列４０８との交差箇所は、第２の電気通信装置ＵＥ１に割り当てられた第２の制御チャネル要素について第１の電気通信装置ＢＳにより実行されるオペレーションを示す。
【０１８０】
行４００〜４０２と列４０９との交差箇所は、第２の電気通信装置ＵＥ２に割り当てられた第３の制御チャネル要素について第１の電気通信装置ＢＳにより実行されるオペレーションを示し、行４００〜４０２と列４１０との交差箇所は、第２の電気通信装置ＵＥ２に割り当てられた第４の制御チャネル要素について第１の電気通信装置ＢＳにより実行されるオペレーションを示す。
【０１８１】
ここで、図４の例によれば、制御チャネル要素は連続しているが、制御チャネル要素は、本発明では必ずしも連続していないことに留意しなければならない。
【０１８２】
本発明の第１の実現モードによれば、１つの宛先に割り当てられる制御チャネル要素の個数に従って選択されたスクランブルシーケンスは、その宛先に割り当てられる各制御チャネル要素に含められるデータに乗算を行うのに使用される。
【０１８３】
列４０７、４０８と行４０１との交差箇所に示すスクランブルシーケンス「００１」は、第２の電気通信装置ＵＥ１に割り当てられた２つの制御チャネル要素に対応するスクランブルシーケンスである。
【０１８４】
列４０９、４１０と行４０１との交差箇所に示すスクランブルシーケンス「０１１」は、第２の電気通信装置ＵＥ２に割り当てられた２つの制御チャネル要素に対応するスクランブルシーケンスである。
【０１８５】
図４の例によれば、第１の電気通信装置ＢＳは、第２の電気通信装置ＵＥ１に割り当てられた第１の制御チャネル要素に、ＣＲＣと結合された情報の符号化及び変調されたもの「００１」をマッピングすることを意図し、その符号化及び変調された情報をスクランブルシーケンス「００１」によってマスキングし、第２の電気通信装置ＵＥ１に割り当てられた第１の制御チャネル要素上にマッピングされた値「０００」を得る。
【０１８６】
第１の電気通信装置ＢＳは、第２の電気通信装置ＵＥ１に割り当てられた第２の制御チャネル要素に、ＣＲＣと結合された情報の符号化及び変調されたものの複製「００１」をマッピングすることを意図し、その符号化及び変調された情報の複製をスクランブルシーケンス「００１」によってマスキングし、第２の電気通信装置ＵＥ１に割り当てられた第２の制御チャネル要素上にマッピングされた値「０００」を得る。
【０１８７】
第１の電気通信装置ＢＳは、第２の電気通信装置ＵＥ２に割り当てられた第３の制御チャネル要素に、ＣＲＣと結合された情報の符号化及び変調されたもの「０１０」をマッピングすることを意図し、その符号化及び変調された情報をスクランブルシーケンス「０１１」によってマスキングし、第２の電気通信装置ＵＥ２に割り当てられた第３の制御チャネル要素上にマッピングされた値「００１」を得る。
【０１８８】
第１の電気通信装置ＢＳは、第２の電気通信装置ＵＥ２に割り当てられた第４の制御チャネル要素に、ＣＲＣと結合された情報の符号化及び変調されたものの複製「０１０」をマッピングすることを意図し、その符号化及び変調された情報の複製をスクランブルシーケンス「０１１」によってマスキングし、第２の電気通信装置ＵＥ２に割り当てられた第４の制御チャネル要素上にマッピングされた値「００１」を得る。
【０１８９】
各第２の電気通信装置ＵＥは、制御チャネル要素上にマッピングされたすべてのデータを受信する。
【０１９０】
各第２の電気通信装置ＵＥは、その第２の電気通信装置ＵＥに割り当てられる余地のある各制御チャネル要素上にマッピングされた受信データに、１つの割り当てられた制御チャネル要素に対応するスクランブルシーケンスを乗算する。
【０１９１】
行４０３に示すスクランブルシーケンス「１１０」は、第２の電気通信装置ＵＥ２に割り当てられることが予想される単一の制御チャネル要素に対応するスクランブルシーケンスである。
【０１９２】
行４０４は、各受信制御チャネル要素上にマッピングされたそれぞれの受信データの、第２の電気通信装置ＵＥ２により実行されたマスキングの結果を示す。
【０１９３】
行４０４に示すように、結果「１１０」又は「１１１」のいずれも、行４００に示すＣＲＣと結合された情報の符号化及び変調されたものによって形成されたデータに、対応しない。各制御チャネル要素について得られた復号メトリックは、その結果、低い値を有する。
【０１９４】
各第２の電気通信装置ＵＥは、その第２の電気通信装置に割り当てられる余地のある少なくとも１つの制御チャネル要素から成る各可能なサブセット上にマッピングされた受信データに、少なくとも１つの制御チャネル要素から成るサブセットに含まれる制御チャネル要素の個数に対応するスクランブルシーケンスを乗算する。
【０１９５】
行４０１に示すスクランブルシーケンス「０１１」は、第２の電気通信装置ＵＥ２に割り当てられることが予想される２つの制御チャネル要素から成るサブセットに対応するスクランブルシーケンスである。
【０１９６】
行４０６は、各受信制御チャネル要素上にマッピングされたそれぞれの受信データの、第２の電気通信装置ＵＥ２によって実行されたマスキングの結果を示す。
【０１９７】
行４０６に示すように、結果「０１１」は、行４００に示すＣＲＣと結合された情報の符号化及び変調されたものにより形成されたデータに、対応しない。制御チャネル要素群の第１の制御チャネル要素及び第２の制御チャネル要素で構成されるサブセットについて得られた復号メトリックは、その結果、低い値を有する。結果「０１０」は、行４００に示すＣＲＣと結合された情報の符号化及び変調されたものにより形成されたデータに対応する。制御チャネル要素群の第３及び第４の制御チャネル要素で構成されるサブセットについて得られた復号メトリックは、その結果、高い値を有する。
【０１９８】
したがって、制御チャネル要素群の第３及び第４の制御チャネル要素で構成されるサブセットについて求められた復号メトリックは、制御チャネル要素群の第３及び第４の制御チャネル要素について求められた復号メトリックよりも高い値を有するので、制御チャネル要素又は制御チャネル要素群の最も高い復号メトリックから最も低い復号メトリックへのソートは、もはや誤ることはない。
【０１９９】
ここで、図４の例は、簡単にするために、３ビット長を有する、ＣＲＣと結合された情報の符号化及び変調されたものしか使用していないが、実際には、ＣＲＣと結合された情報の符号化及び変調されたものは、より多くのビットによって表されることを理解できることに留意しなければならない。
【０２００】
図５は、本発明の第２の実現モードによる、制御チャネル要素に対して第１の電気通信装置及び第２の電気通信装置により実行される異なる複数のオペレーションを示す。
【０２０１】
第２の実現モードによれば、第１の電気通信装置ＢＳによって第２の電気通信装置ＵＥに割り当てられているか又は割り当てられる余地のある制御チャネル要素の各可能な個数に、少なくとも１つのランダム化機能から成る１つのサブセットが関連付けられる。
【０２０２】
少なくとも１つのランダム化機能から成る各サブセットは、制御チャネル要素群の制御チャネル要素の個数に等しい個数のランダム化機能を含む。
【０２０３】
各ランダム化機能は、少なくとも１つのランダム化機能から成るサブセットにおける所与の位置を有する。
【０２０４】
少なくとも１つのランダム化機能から成るサブセットの或る位置におけるランダム化機能は、その少なくとも１つのランダム化機能から成るサブセットにおけるそのランダム化機能の位置と制御チャネル要素群において同じ位置を有する制御チャネル要素に含められるデータを処理するのに使用されるランダム化機能である。
【０２０５】
少なくとも１つのランダム化機能から成るサブセットは、その結果、そのサブセットが含むランダム化機能、及びそのサブセットが含むランダム化機能のそれぞれの位置に従って定義される。
【０２０６】
ランダム化機能の２つのサブセットが同じ位置に同じランダム化機能を含む場合、それらの２つのサブセットは同一である。
【０２０７】
少なくとも１つの制御チャネル要素から成るサブセットの１つ又は複数の制御チャネル要素上にマッピングされているか又はマッピングされることが意図されるデータを処理するのに使用される、ランダム化機能又は少なくとも１つのランダム機能から成るサブセットのすべてのランダム化機能は、制御チャネル要素群において同じ位置を有する１つ又は複数の制御チャネル要素上にマッピングされているか又はマッピングされることが意図されるデータを処理するのに使用される１つ又は複数のランダム化機能と等しくない可能性がある。この１つ又は複数のランダム化機能は、同じ個数又はより多くの個数の制御チャネル要素から成るサブセットに関連付けられる少なくとも１つのランダム化機能から成る別のサブセットに属する。
【０２０８】
第１の電気通信装置ＢＳのカバレッジエリア５０内に複数の第２の電気通信装置ＵＥが含まれるとき、第１の電気通信装置ＢＳによって１つの第２の電気通信装置ＵＥに割り当てられた制御チャネル要素の各可能な個数及び各第２の電気通信装置ＵＥに、少なくとも１つのランダム化機能から成る１つのサブセットが関連付けられる。
【０２０９】
各第２の電気通信装置ＵＥに関連付けられる、少なくとも１つのランダム化機能から成る各サブセットは、他の第２の電気通信装置ＵＥに関連付けられる少なくとも１つのランダム化機能から成る各サブセットとは異なる。
【０２１０】
図５は、１つ又は２つの制御チャネル要素を各第２の電気通信装置ＵＥに割り当てることができる一例において、ランダム化機能がスクランブルシーケンスであるときに実行される異なる複数のオペレーションを開示する。
【０２１１】
図５の例では、２つの制御チャネル要素が各第２の電気通信装置ＵＥ１及びＵＥ２に割り当てられる。
【０２１２】
行５００〜５０２に示すオペレーションは、第１の電気通信装置ＢＳによって実行され、行５０３〜５０６に示すオペレーションは、第２の電気通信装置ＵＥ２によって実行される。
【０２１３】
行５００は、ＣＲＣと結合された情報の符号化及び変調されたものによって形成されたデータを示す。
【０２１４】
行５０１は、マスクとして使用されるスクランブルシーケンスの例を示す。ここで、異なる複数のスクランブルシーケンスが所与の第２の電気通信装置ＵＥに割り当てられることに留意しなければならない。各スクランブルシーケンスは、第２の電気通信装置ＵＥについて、その第２の電気通信装置ＵＥに割り当てられた制御チャネル要素の個数に従い且つ制御チャネル要素群内における制御チャネル要素の位置に従い決定される。複数の第２の電気通信装置ＵＥがカバレッジエリア５０内に含まれるとき、各スクランブルシーケンスは、そのスクランブルシーケンスが割り当てられる第２の電気通信装置ＵＥに従って決定される。
【０２１５】
行５０２は、第１の電気通信装置ＢＳが、例としてブール排他的ＯＲを使用して、ＣＲＣと結合された情報の符号化及び変調されたものにより形成されたデータを、上記で開示したように決定されたスクランブルシーケンスによってスクランブルした結果を示す。スクランブルされたデータは、制御チャネル要素上にマッピングされる。
【０２１６】
行５０３及び５０５は、第２の電気通信装置ＵＥ２に割り当てられた制御チャネル要素の予想個数に従って、ＣＲＣと結合された情報の符号化及び変調されたものにより形成されたデータをスクランブル解除又はマスキングするための、第２の電気通信装置ＵＥ２によって決定されたスクランブル解除シーケンスを示す。
【０２１７】
行５０４及び５０６は、第２の電気通信装置ＵＥ２が、行５０３及び５０５にそれぞれ示すスクランブル解除シーケンスによって、ＣＲＣと結合された情報の符号化及び変調されたものをスクランブル解除した結果を示す。
【０２１８】
行５００〜５０２と列５０７との交差箇所は、第２の電気通信装置ＵＥ１に割り当てられた第１の制御チャネル要素について第１の電気通信装置ＢＳにより実行されるオペレーションを示し、行５００〜５０２と列５０８との交差箇所は、第２の電気通信装置ＵＥ１に割り当てられた第２の制御チャネル要素について第１の電気通信装置ＢＳにより実行されるオペレーションを示す。
【０２１９】
行４００〜４０２と列５０９との交差箇所は、第２の電気通信装置ＵＥ１に割り当てられた第３の制御チャネル要素について第１の電気通信装置ＢＳにより実行されるオペレーションを示し、行４００〜４０２と列５１０との交差箇所は、第２の電気通信装置ＵＥ２に割り当てられた第４の制御チャネル要素について第１の電気通信装置ＢＳにより実行されるオペレーションを示す。
【０２２０】
ここで、図５の例によれば、制御チャネル要素は連続しているが、制御チャネル要素は、本発明では必ずしも連続していないことに留意しなければならない。
【０２２１】
本発明の第２の実現モードによれば、各選択されたスクランブルシーケンスは、１つの宛先に割り当てられているか又は割り当てられる余地のある制御チャネル要素の個数に従い、且つ制御チャネル要素群内における割り当てられているか又は割り当てられる余地のある制御チャネル要素の位置に従い、且つその宛先に従い選択される。
【０２２２】
列５０７と行５０１との交差箇所に示すスクランブルシーケンス「１０１」は、制御チャネル要素が、第２の電気通信装置ＵＥ１に割り当てられた２つの制御チャネル要素から成るサブセットに含まれるときに、制御チャネル要素群において１番目の位置を有する制御チャネル要素について選択されたスクランブルシーケンスである。
【０２２３】
列５０８と行５０１との交差箇所に示すスクランブルシーケンス「００１」は、制御チャネル要素が、第２の電気通信装置ＵＥ１に割り当てられた２つの制御チャネル要素から成るサブセットに含まれるときに、制御チャネル要素群において２番目の位置を有する制御チャネル要素について選択されたスクランブルシーケンスである。
【０２２４】
列５０９と行５０１との交差箇所に示すスクランブルシーケンス「１１１」は、制御チャネル要素が、第２の電気通信装置ＵＥ２に割り当てられた２つの制御チャネル要素から成るサブセットに含まれるときに、制御チャネル要素群において３番目の位置を有する制御チャネル要素について選択されたスクランブルシーケンスである。
【０２２５】
列５１０と行５０１との交差箇所に示すスクランブルシーケンス「０１１」は、制御チャネル要素が、第２の電気通信装置ＵＥ２に割り当てられた２つの制御チャネル要素から成るサブセットに含まれるときに、制御チャネル要素群において４番目の位置を有する制御チャネル要素について選択されたスクランブルシーケンスである。
【０２２６】
図５の例によれば、第１の電気通信装置ＢＳは、第２の電気通信装置ＵＥ１に割り当てられた第１の制御チャネル要素に、ＣＲＣと結合された情報の符号化及び変調されたもの「００１」をマッピングすることを意図し、その符号化及び変調された情報をスクランブルシーケンス「１０１」によってマスキングし、第２の電気通信装置ＵＥ１に割り当てられた第１の制御チャネル要素上にマッピングされた値「１００」を得る。
【０２２７】
第１の電気通信装置ＢＳは、第２の電気通信装置ＵＥ１に割り当てられた第２の制御チャネル要素に、ＣＲＣと結合された情報の符号化及び変調されたものの複製「００１」をマッピングすることを意図し、その符号化及び変調された情報の複製をスクランブルシーケンス「００１」によってマスキングし、第２の電気通信装置ＵＥ１に割り当てられた第２の制御チャネル要素上にマッピングされた値「０００」を得る。
【０２２８】
第１の電気通信装置ＢＳは、第２の電気通信装置ＵＥ２に割り当てられた第３の制御チャネル要素に、ＣＲＣと結合された情報の符号化及び変調されたもの「０１０」をマッピングすることを意図し、その符号化及び変調された情報をスクランブルシーケンス「１１１」によってマスキングし、第２の電気通信装置ＵＥ２に割り当てられた第３の制御チャネル要素上にマッピングされた値「１０１」を得る。
【０２２９】
第１の電気通信装置ＢＳは、第２の電気通信装置ＵＥ２に割り当てられた第４の制御チャネル要素に、ＣＲＣと結合された情報の符号化及び変調されたものの複製「０１０」をマッピングすることを意図し、その符号化及び変調された情報の複製をスクランブルシーケンス「０１１」によってマスキングし、第２の電気通信装置ＵＥ２に割り当てられた第４の制御チャネル要素上にマッピングされた値「００１」を得る。
【０２３０】
各第２の電気通信装置ＵＥは、制御チャネル要素上にマッピングされたすべてのデータを受信する。
【０２３１】
各第２の電気通信装置ＵＥは、その第２の電気通信装置ＵＥに割り当てられる余地のある各制御チャネル要素上にマッピングされた受信データに、１つの割り当てられた制御チャネル要素に対応し且つ制御チャネル要素群内におけるその制御チャネル要素の位置に対応するスクランブルシーケンスを乗算する。
【０２３２】
列５０７と行５０３との交差箇所に示すスクランブルシーケンス「１００」は、第２の電気通信装置ＵＥ２に割り当てられることが予想される制御チャネル要素群の第１の制御チャネル要素に対応するスクランブルシーケンスである。
【０２３３】
列５０８と行５０３との交差箇所に示すスクランブルシーケンス「０１１」は、第２の電気通信装置ＵＥ２に割り当てられることが予想される制御チャネル要素群の第２の制御チャネル要素に対応するスクランブルシーケンスである。
【０２３４】
列５０９と行５０３との交差箇所に示すスクランブルシーケンス「１１０」は、第２の電気通信装置ＵＥ２に割り当てられることが予想される制御チャネル要素群の第３の制御チャネル要素に対応するスクランブルシーケンスである。
【０２３５】
列５１０と行５０３との交差箇所に示すスクランブルシーケンス「１１１」は、第２の電気通信装置ＵＥ２に割り当てられることが予想される制御チャネル要素群の第４の制御チャネル要素に対応するスクランブルシーケンスである。
【０２３６】
行５０４は、各受信制御チャネル要素上にマッピングされたそれぞれの受信データに対して第２の電気通信装置ＵＥ２により実行されたマスキングの結果を示す。
【０２３７】
行５０４に示すように、結果「０００」又は「０１１」又は「０１１」又は「１１０」のいずれも、行５００に示すＣＲＣと結合された情報の符号化及び変調されたものによって形成されたデータに対応しない。各制御チャネル要素について得られた復号メトリックは、その結果、低い値を有する。
【０２３８】
各第２の電気通信装置ＵＥは、その第２の電気通信装置に割り当てられる余地のある少なくとも１つの制御チャネル要素から成る各可能なサブセットの各制御チャネル要素上にマッピングされた受信データに、少なくとも１つの制御チャネル要素から成るサブセットに含まれる制御チャネル要素の個数に対応し且つ制御チャネル要素群内におけるその制御チャネル要素の位置に対応する１つのスクランブルシーケンスを乗算する。
【０２３９】
列５０７と行５０５との交差箇所に示すスクランブルシーケンス「０１０」は、２つの制御チャネル要素から成るサブセットが第２の電気通信装置ＵＥ２に割り当てられるときに、制御チャネル要素群の第１の制御チャネル要素に対応するスクランブルシーケンスである。
【０２４０】
列５０８と行５０５との交差箇所に示すスクランブルシーケンス「０００」は、２つの制御チャネル要素から成るサブセットが第２の電気通信装置ＵＥ２に割り当てられるときに、制御チャネル要素群の第２の制御チャネル要素に対応するスクランブルシーケンスである。
【０２４１】
列５０９と行５０５との交差箇所に示すスクランブルシーケンス「１１１」は、２つの制御チャネル要素から成るサブセットが第２の電気通信装置ＵＥ２に割り当てられるときに、制御チャネル要素群の第３の制御チャネル要素に対応するスクランブルシーケンスである。
【０２４２】
列５１０と行５０５との交差箇所に示すスクランブルシーケンス「０１１」は、２つの制御チャネル要素から成るサブセットが第２の電気通信装置ＵＥ２に割り当てられるときに、制御チャネル要素群の第４の制御チャネル要素に対応するスクランブルシーケンスである。
【０２４３】
行５０６は、各受信制御チャネル要素上にマッピングされたそれぞれの受信データに対して第２の電気通信装置ＵＥ２により実行されたマスキングの結果を示す。
【０２４４】
行５０６に示すように、結果「１１０」及び「０００」は、行５００に示すＣＲＣと結合された情報の符号化及び変調されたものによって形成されたデータに対応しない。第１の制御チャネル要素及び第２の制御チャネル要素で構成されるサブセットについて得られた復号メトリックは、その結果、低い値を有する。結果「０１０」は、行５００に示すＣＲＣと結合された情報の符号化及び変調されたものによって形成されたデータに対応する。第３の制御チャネル要素及び第４の制御チャネル要素で構成されるサブセットについて得られた復号メトリックは、その結果、高い値を有する。
【０２４５】
ここで、図５の例は、簡単にするために、３ビット長を有する、ＣＲＣと結合された情報の符号化及び変調されたものしか使用していないが、実際には、ＣＲＣと結合された情報の符号化及び変調されたものは、より多くのビットによって表されることを理解できることに留意しなければならない。
【０２４６】
図６は、本発明の第３の実現モードによる、制御チャネル要素に対して第１の電気通信装置及び第２の電気通信装置により実行される異なる複数のオペレーションを示す。
【０２４７】
第３の実現モードによれば、第１の電気通信装置ＢＳによって第２の電気通信装置ＵＥに割り当てられているか又は割り当てられる余地のある制御チャネル要素の各可能な個数に、少なくとも１つのランダム化機能から成る１つのサブセットが関連付けられる。
【０２４８】
少なくとも１つのランダム化機能から成る各サブセットは、第２の電気通信装置ＵＥに割り当てられているか又は割り当てられる余地のある少なくとも１つの制御チャネル要素から成るサブセットにおける制御チャネル要素の個数に等しい個数のランダム化機能を含む。
【０２４９】
各ランダム化機能は、少なくとも１つのランダム化機能から成るサブセットにおける所与の位置を有する。
【０２５０】
少なくとも１つのランダム化機能から成るサブセットの或る位置におけるランダム化機能は、その少なくとも１つのランダム化機能から成るサブセットにおけるそのランダム化機能の位置と、割り当てられているか又は割り当てられる余地のある少なくとも１つの制御チャネル要素から成るサブセットにおいて同じ位置を有する制御チャネル要素に含められるか又は含められているデータを処理するのに使用されるランダム化機能である。
【０２５１】
少なくとも１つのランダム化機能から成るサブセットは、その結果、そのサブセットが含むランダム化機能及びそのサブセットが含むランダム化機能のそれぞれの位置に従って定義される。
【０２５２】
ランダム化機能の２つのサブセットが同じ位置に同じランダム化機能を含む場合、それらの２つのサブセットは同一である。
【０２５３】
第１の電気通信装置ＢＳのカバレッジエリア５０内に複数の第２の電気通信装置ＵＥが含まれるとき、第１の電気通信装置ＢＳによって１つの第２の電気通信装置ＵＥに割り当てられた制御チャネル要素の各可能な個数及び各第２の電気通信装置ＵＥに、少なくとも１つのランダム化機能から成る１つのサブセットが関連付けられる。
【０２５４】
各第２の電気通信装置ＵＥに関連付けられる少なくとも１つのランダム化機能から成る各サブセットは、他の第２の電気通信装置ＵＥに関連付けられる少なくとも１つのランダム化機能から成る各サブセットとは異なる。
【０２５５】
少なくとも１つのランダム化機能から成るサブセットにおけるすべてのランダム化機能は、それよりも多くのランダム化機能を有する少なくとも１つのランダム化機能から成る別のサブセットにおいては決して連続していない。
【０２５６】
図６は、１つ又は２つの制御チャネル要素を各第２の電気通信装置ＵＥに割り当てることができる一例において、ランダム化機能がスクランブルシーケンスであるときに実行される異なる複数のオペレーションを開示する。
【０２５７】
図６の例では、２つの制御チャネル要素が各第２の電気通信装置ＵＥ１及びＵＥ２に割り当てられる。
【０２５８】
行６００〜６０２に示すオペレーションは、第１の電気通信装置ＢＳによって実行され、行６０３〜６１０に示すオペレーションは、第２の電気通信装置ＵＥ２によって実行される。
【０２５９】
行６００は、ＣＲＣと結合された情報の符号化及び変調されたものによって形成されたデータを示す。
【０２６０】
行６０１は、マスクとして使用されるスクランブルシーケンスの例を示す。ここで、異なる複数のスクランブルシーケンスが所与の第２の電気通信装置ＵＥに割り当てられることに留意しなければならない。各スクランブルシーケンスは、１つの第２の電気通信装置ＵＥについて、その第２の電気通信装置ＵＥに割り当てられた制御チャネル要素の個数に従い、且つその第２の電気通信装置ＵＥに割り当てられた少なくとも１つの制御チャネル要素から成るサブセット内における、制御チャネル要素の位置に従い決定される。複数の第２の電気通信装置ＵＥがカバレッジエリア５０内に含まれるとき、各スクランブルシーケンスは、そのスクランブルシーケンスが割り当てられる第２の電気通信装置ＵＥに従って決定される。
【０２６１】
行６０２は、第１の電気通信装置ＢＳが、例としてブール排他的ＯＲを使用して、ＣＲＣと結合された情報の符号化及び変調されたものにより形成されたデータを、上記で開示したように決定されたスクランブルシーケンスによってスクランブルした結果を示す。スクランブルされたデータは、制御チャネル要素上にマッピングされる。
【０２６２】
行６０３、６０５、６０７、及び６０９は、第２の電気通信装置ＵＥ２に割り当てられた制御チャネル要素の予想個数に従って、ＣＲＣと結合された情報の符号化及び変調されたものにより形成されたデータをスクランブル解除するための、第２の電気通信装置ＵＥ２によって決定されたスクランブル解除シーケンスを示す。
【０２６３】
行６０４、６０６、６０８、及び６１０は、第２の電気通信装置ＵＥ２が、行６０３、６０５、６０７、及び６０９にそれぞれ示すスクランブル解除シーケンスによって、ＣＲＣと結合された情報の符号化及び変調されたものをスクランブル解除した結果を示す。
【０２６４】
行６００〜６０２と列６１１との交差箇所は、第２の電気通信装置ＵＥ１に割り当てられた第１の制御チャネル要素について第１の電気通信装置ＢＳにより実行されるオペレーションを示し、行６００〜６０２と列６１２との交差箇所は、第２の電気通信装置ＵＥ１に割り当てられた第２の制御チャネル要素について第１の電気通信装置ＢＳにより実行されるオペレーションを示す。
【０２６５】
行６００〜６０２と列６１３との交差箇所は、第２の電気通信装置ＵＥ２に割り当てられた第３の制御チャネル要素について第１の電気通信装置ＢＳにより実行されるオペレーションを示し、行６００〜６０２と列６１４との交差箇所は、第２の電気通信装置ＵＥ２に割り当てられた第４の制御チャネル要素について第１の電気通信装置ＢＳにより実行されるオペレーションを示す。
【０２６６】
ここで、図６の例によれば、制御チャネル要素は連続しているが、制御チャネル要素は、本発明では必ずしも連続していないことに留意しなければならない。
【０２６７】
列６１１と行６０１との交差箇所に示すスクランブルシーケンス「１１０１」は、第２の電気通信装置ＵＥ１に割り当てられた２つの制御チャネル要素から成るサブセットにおいて１番目の位置を有する制御チャネル要素について選択されたスクランブルシーケンスである。
【０２６８】
列６１２と行６０１との交差箇所に示すスクランブルシーケンス「１００１」は、第２の電気通信装置ＵＥ１に割り当てられた２つの制御チャネル要素から成るサブセットにおいて２番目の位置を有する制御チャネル要素について選択されたスクランブルシーケンスである。
【０２６９】
列６１３と行６０１との交差箇所に示すスクランブルシーケンス「０１１１」は、第２の電気通信装置ＵＥ２に割り当てられた２つの制御チャネル要素から成るサブセットにおいて１番目の位置を有する制御チャネル要素について選択されたスクランブルシーケンスである。
【０２７０】
列６１４と行６０１との交差箇所に示すスクランブルシーケンス「００１１」は、第２の電気通信装置ＵＥ２に割り当てられた２つの制御チャネル要素から成るサブセットにおいて２番目の位置を有する制御チャネル要素について選択されたスクランブルシーケンスである。
【０２７１】
図６の例によれば、第１の電気通信装置ＢＳは、第２の電気通信装置ＵＥ１に割り当てられた第１の制御チャネル要素に、ＣＲＣと結合された情報の符号化及び変調されたもの「０００１」をマッピングすることを意図し、その符号化及び変調された情報をスクランブルシーケンス「１１０１」によってマスキングし、第２の電気通信装置ＵＥ１に割り当てられた第１の制御チャネル要素上にマッピングされた値「１１００」を得る。
【０２７２】
第１の電気通信装置ＢＳは、第２の電気通信装置ＵＥ１に割り当てられた第２の制御チャネル要素に、ＣＲＣと結合された情報の符号化及び変調されたものの複製「０００１」をマッピングすることを意図し、その符号化及び変調された情報の複製をスクランブルシーケンス「１００１」によってマスキングし、第２の電気通信装置ＵＥ１に割り当てられた第２の制御チャネル要素上にマッピングされた値「１０００」を得る。
【０２７３】
第１の電気通信装置ＢＳは、第２の電気通信装置ＵＥ２に割り当てられた第３の制御チャネル要素に、ＣＲＣと結合された情報の符号化及び変調されたもの「００１０」をマッピングすることを意図し、その符号化及び変調された情報をスクランブルシーケンス「０１１１」によってマスキングし、第２の電気通信装置ＵＥ２に割り当てられた第３の制御チャネル要素上にマッピングされた値「０１０１」を得る。
【０２７４】
第１の電気通信装置ＢＳは、第２の電気通信装置ＵＥ２に割り当てられた第４の制御チャネル要素に、ＣＲＣと結合された情報の符号化及び変調されたものの複製「００１０」をマッピングすることを意図し、その符号化及び変調された情報の複製をスクランブルシーケンス「００１１」によってマスキングし、第２の電気通信装置ＵＥ２に割り当てられた第４の制御チャネル要素上にマッピングされた値「０００１」を得る。
【０２７５】
各第２の電気通信装置ＵＥは、制御チャネル要素上にマッピングされたすべてのデータを受信する。
【０２７６】
第３の実現モードによれば、単一の制御チャネル要素が第２の電気通信装置ＵＥに割り当てられる場合、第２の電気通信装置ＵＥによって受信された制御チャネル要素群の各第２の制御チャネル要素にマッピングされたデータに乗算を行うのに使用される、スクランブルシーケンスと同じスクランブルシーケンスは、１つの制御チャネル要素から成るサブセット内における、割り当てられているか又は割り当てられる余地のある制御チャネル要素の位置に従って選択される。
【０２７７】
行６０３に示すスクランブルシーケンス「１１００」は、第２の電気通信装置ＵＥ２に割り当てられることが予想される１つの制御チャネル要素に対応するスクランブルシーケンスである。
【０２７８】
行６０４は、各受信制御チャネル要素上にマッピングされたそれぞれの受信データに対して第２の電気通信装置ＵＥ２により実行されたマスキングの結果を示す。
【０２７９】
行６０４に示すように、結果「００００」又は「０１００」又は「１００１」又は「１１０１」のいずれも、行６００に示すＣＲＣと結合された情報の符号化及び変調されたものによって形成されたデータに対応しない。各制御チャネル要素について得られた復号メトリックは、その結果、低い値を有する。
【０２８０】
各第２の電気通信装置ＵＥは、その第２の電気通信装置に割り当てられる余地のある少なくとも１つの制御チャネル要素から成る各可能なサブセットの各制御チャネル要素上にマッピングされた受信データに、そのサブセットに含まれる制御チャネル要素の個数に対応し且つ少なくとも１つの制御チャネル要素から成るサブセット内におけるその制御チャネル要素の位置に対応するその第２の電気通信装置ＵＥのスクランブルシーケンスを乗算する。
【０２８１】
列６１１と行６０５との交差箇所に示すスクランブルシーケンス「０１１１」は、２つの制御チャネル要素から成るサブセットが第２の電気通信装置ＵＥ２に割り当てられるときに、少なくとも１つの制御チャネル要素から成るサブセットの第１の制御チャネル要素に対応するスクランブルシーケンスである。
【０２８２】
列６１２と行６０５との交差箇所に示すスクランブルシーケンス「００１１」は、２つの制御チャネル要素から成るサブセットが第２の電気通信装置ＵＥ２に割り当てられるときに、少なくとも１つの制御チャネル要素から成るサブセットの第２の制御チャネル要素に対応するスクランブルシーケンスである。
【０２８３】
行６０６は、各受信制御チャネル要素上にマッピングされたそれぞれの受信データに対して第２の電気通信装置ＵＥ２により実行されたマスキングの結果を示す。
【０２８４】
行６０６に示すように、結果「０１１１」及び「１０１１」は、行６００に示すＣＲＣと結合された情報の符号化及び変調されたものによって形成されたデータに対応しない。
【０２８５】
制御チャネル要素群の第１の制御チャネル要素及び第２の制御チャネル要素で構成されるサブセットについて得られた復号メトリックは、その結果、低い値を有する。
【０２８６】
列６１２と行６０７との交差箇所に示すスクランブルシーケンス「０１１１」が、その後、前述したシーケンス「００１１」の代わりに制御チャネル要素群の第２の制御チャネル要素のために使用される。
【０２８７】
ここで、図６の例は、簡単にするために、４ビット長を有する、ＣＲＣと結合された情報の符号化及び変調されたものしか使用していないが、実際には、ＣＲＣと結合された情報の符号化及び変調されたものは、より多くのビットによって表されることを理解できることに留意しなければならない。
【０２８８】
図７は、本発明の第４の実現モードによる、制御チャネル要素に対して第１の電気通信装置及び第２の電気通信装置により実行される異なる複数のオペレーションを示す。
【０２８９】
第４の実現モードによれば、第１の電気通信装置ＢＳによって第２の電気通信装置ＵＥに割り当てられているか又は割り当てられる余地のある制御チャネル要素の各可能な個数、及び制御チャネル要素群内における、割り当てられているか又は割り当てられる余地のある制御チャネル要素の各可能な位置に、少なくとも１つのランダム化機能から成る１つのサブセットが関連付けられる。
【０２９０】
少なくとも１つのランダム化機能から成る各サブセットは、第２の電気通信装置に割り当てられているか又は割り当てられる余地のある、少なくとも１つの制御チャネル要素から成るサブセットにおける制御チャネル要素の個数に等しい個数のランダム化機能を含む。
【０２９１】
各ランダム化機能は、少なくとも１つのランダム化機能から成るサブセットにおける所与の位置を有する。
【０２９２】
少なくとも１つのランダム化機能から成るサブセットの或る位置におけるランダム化機能は、その少なくとも１つのランダム化機能から成るサブセットにおけるそのランダム化機能の位置と、割り当てられているか又は割り当てられる余地のある少なくとも１つの制御チャネル要素から成るサブセットにおいて同じ位置を有する制御チャネル要素に含められるか又は含められているデータを処理するのに使用されるランダム化機能である。
【０２９３】
少なくとも１つのランダム化機能から成るサブセットは、その結果、そのサブセットが含むランダム化機能及びそのサブセットが含むランダム化機能のそれぞれの位置に従って定義される。
【０２９４】
ランダム化機能の２つのサブセットが同じ位置に同じランダム化機能を含む場合、それらの２つのサブセットは同一である。
【０２９５】
第１の電気通信装置ＢＳのカバレッジエリア５０内に複数の第２の電気通信装置ＵＥが含まれるとき、第１の電気通信装置ＢＳによって１つの第２の電気通信装置ＵＥに割り当てられた制御チャネル要素の各可能な個数、及び第１の電気通信装置ＢＳによって１つの第２の電気通信装置ＵＥに割り当てられた制御チャネル要素の各可能な位置、及び各第２の電気通信装置ＵＥに、少なくとも１つのランダム化機能から成る１つのサブセットが関連付けられる。
【０２９６】
各第２の電気通信装置ＵＥに関連付けられる少なくとも１つのランダム化機能から成る各サブセットは、他の第２の電気通信装置ＵＥに関連付けられる少なくとも１つのランダム化機能から成る各サブセットとは異なる。
【０２９７】
少なくとも１つの制御チャネル要素から成る関連付けられるサブセットの１つ又は複数の制御チャネル要素上にマッピングされているか又はマッピングされることが意図されるデータを処理するのに使用される、ランダム化機能又は少なくとも１つのランダム機能から成るサブセットのすべてのランダム化機能は、制御チャネル要素群において同じ位置を有する１つ又は複数の制御チャネル要素上にマッピングされているか又はマッピングされることが意図されるデータを処理するのに使用される１つ又は複数のランダム化機能と等しくない可能性がある。この１つ又は複数のランダム化機能は、同じ個数又はより多くの個数の制御チャネル要素を有する少なくとも１つの制御チャネル要素から成るサブセットに関連付けられる少なくとも１つのランダム化機能から成る別のサブセットに属する。
【０２９８】
図７は、１つ又は２つの制御チャネル要素を各第２の電気通信装置ＵＥに割り当てることができる一例において、ランダム化機能がスクランブルシーケンスであるときに実行される異なる複数のオペレーションを開示する。
【０２９９】
図７の例では、２つの制御チャネル要素が各第２の電気通信装置ＵＥ１及びＵＥ２に割り当てられる。
【０３００】
行７００〜７０２に示すオペレーションは、第１の電気通信装置ＢＳによって実行され、行７０３〜７１０に示すオペレーションは、第２の電気通信装置ＵＥ２によって実行される。
【０３０１】
行７００は、ＣＲＣと結合された情報の符号化及び変調されたものによって形成されたデータを示す。
【０３０２】
行７０１は、マスクとして使用されるスクランブルシーケンスの例を示す。ここで、異なる複数のスクランブルシーケンスが所与の第２の電気通信装置ＵＥに割り当てられることに留意しなければならない。
【０３０３】
各スクランブルシーケンスは、１つの第２の電気通信装置ＵＥについて、その第２の電気通信装置ＵＥに割り当てられた制御チャネル要素の個数に従い、その第２の電気通信装置ＵＥに割り当てられた少なくとも１つの制御チャネル要素から成るサブセット内における、制御チャネル要素の位置に従い、且つ制御チャネル要素群内における、その第２の電気通信装置ＵＥに割り当てられた各制御チャネル要素の位置に従い決定される。複数の第２の電気通信装置ＵＥがカバレッジエリア５０内に含まれるとき、各スクランブルシーケンスは、そのスクランブルシーケンスが割り当てられる第２の電気通信装置ＵＥに従って決定される。
【０３０４】
行７０２は、第１の電気通信装置ＢＳが、例としてブール排他的ＯＲを使用して、ＣＲＣと結合された情報の符号化及び変調されたものにより形成されたデータを、上記で開示したように決定されたスクランブルシーケンスによってスクランブルした結果を示す。スクランブルされたデータは、制御チャネル要素上にマッピングされる。
【０３０５】
行７０３、７０５、７０７、及び７０９は、第２の電気通信装置ＵＥ２に割り当てられた制御チャネル要素の予想個数に従って、ＣＲＣと結合された情報の符号化及び変調されたものにより形成されたデータをスクランブル解除又はマスキングするための、第２の電気通信装置ＵＥ２によって決定されたスクランブル解除シーケンスを示す。
【０３０６】
行７０４、７０６、７０８、及び７１０は、第２の電気通信装置ＵＥ２が、行７０３、７０５、７０７、及び７０９にそれぞれ示すスクランブル解除シーケンスによって、ＣＲＣと結合された情報の符号化及び変調されたものをスクランブル解除した結果を示す。
【０３０７】
行７００〜７０２と列７１１との交差箇所は、第２の電気通信装置ＵＥ１に割り当てられた第１の制御チャネル要素について第１の電気通信装置ＢＳにより実行されるオペレーションを示し、行７００〜７０２と列７１２との交差箇所は、第２の電気通信装置ＵＥ１に割り当てられた第２の制御チャネル要素について第１の電気通信装置ＢＳにより実行されるオペレーションを示す。
【０３０８】
行７００〜７０２と列７１３との交差箇所は、第２の電気通信装置ＵＥ２に割り当てられた第３の制御チャネル要素について第１の電気通信装置ＢＳにより実行されるオペレーションを示し、行７００〜７０２と列７１４との交差箇所は、第２の電気通信装置ＵＥ２に割り当てられた第４の制御チャネル要素について第１の電気通信装置ＢＳにより実行されるオペレーションを示す。
【０３０９】
ここで、図７の例によれば、制御チャネル要素は連続しているが、制御チャネル要素は、本発明では必ずしも連続していないことに留意しなければならない。
【０３１０】
列７１１と行７０１との交差箇所に示すスクランブルシーケンス「１１０１」は、第２の電気通信装置ＵＥ１に割り当てられた２つの制御チャネル要素から成るサブセットにおける１番目の位置及び制御チャネル要素群における１番目の位置を有する制御チャネル要素について選択されたスクランブルシーケンスである。
【０３１１】
列７１２と行７０１との交差箇所に示すスクランブルシーケンス「１００１」は、第２の電気通信装置ＵＥ１に割り当てられた２つの制御チャネル要素から成るサブセットにおける２番目の位置及び制御チャネル要素群における２番目の位置を有する制御チャネル要素について選択されたスクランブルシーケンスである。
【０３１２】
列７１３と行７０１との交差箇所に示すスクランブルシーケンス「０１１１」は、第２の電気通信装置ＵＥ２に割り当てられた２つの制御チャネル要素から成るサブセットにおける１番目の位置及び制御チャネル要素群における３番目の位置を有する制御チャネル要素について選択されたスクランブルシーケンスである。
【０３１３】
列７１４と行７０１との交差箇所に示すスクランブルシーケンス「００１１」は、第２の電気通信装置ＵＥ２に割り当てられた２つの制御チャネル要素から成るサブセットにおける２番目の位置及び制御チャネル要素群における４番目の位置を有する制御チャネル要素について選択されたスクランブルシーケンスである。
【０３１４】
図７の例によれば、第１の電気通信装置ＢＳは、第２の電気通信装置ＵＥ１に割り当てられた第１の制御チャネル要素に、ＣＲＣと結合された情報の符号化及び変調されたもの「０００１」をマッピングすることを意図し、その符号化及び変調された情報をスクランブルシーケンス「１１０１」によってマスキングし、第２の電気通信装置ＵＥ１に割り当てられた第１の制御チャネル要素上にマッピングされた値「１１００」を得る。
【０３１５】
第１の電気通信装置ＢＳは、第２の電気通信装置ＵＥ１に割り当てられた第２の制御チャネル要素に、ＣＲＣと結合された情報の符号化及び変調されたものの複製「０００１」をマッピングすることを意図し、その符号化及び変調された情報の複製をスクランブルシーケンス「１００１」によってマスキングし、第２の電気通信装置ＵＥ１に割り当てられた第２の制御チャネル要素上にマッピングされた値「１０００」を得る。
【０３１６】
第１の電気通信装置ＢＳは、第２の電気通信装置ＵＥ２に割り当てられた第３の制御チャネル要素に、ＣＲＣと結合された情報の符号化及び変調されたもの「００１０」をマッピングすることを意図し、その符号化及び変調された情報をスクランブルシーケンス「０１１１」によってマスキングし、第２の電気通信装置ＵＥ２に割り当てられた第３の制御チャネル要素上にマッピングされた値「０１０１」を得る。
【０３１７】
第１の電気通信装置ＢＳは、第２の電気通信装置ＵＥ２に割り当てられた第４の制御チャネル要素に、ＣＲＣと結合された情報の符号化及び変調されたものの複製「００１０」をマッピングすることを意図し、その符号化及び変調された情報の複製をスクランブルシーケンス「００１１」によってマスキングし、第２の電気通信装置ＵＥ２に割り当てられた第４の制御チャネル要素上にマッピングされた値「０００１」を得る。
【０３１８】
各第２の電気通信装置は、制御チャネル要素上にマッピングされたすべてのデータを受信する。
【０３１９】
第４の実現モードによれば、単一の制御チャネル要素が第２の電気通信装置ＵＥに割り当てられる場合、異なる複数のスクランブルシーケンスが、第２の電気通信装置ＵＥによって受信された制御チャネル要素群の各制御チャネル要素上にマッピングされたデータに乗算を行うのに使用される。これらのスクランブルシーケンスは、制御チャネル要素群内における制御チャネル要素の位置に従って決定される。
【０３２０】
列７１１と行７０３との交差箇所に示すスクランブルシーケンス「１１００」は、第２の電気通信装置ＵＥ２に割り当てられることが予想される制御チャネル要素群の第１の制御チャネル要素に対応するスクランブルシーケンスである。
【０３２１】
列７１２と行７０３との交差箇所に示すスクランブルシーケンス「０１０１」は、第２の電気通信装置ＵＥ２に割り当てられることが予想される制御チャネル要素群の第２の制御チャネル要素に対応するスクランブルシーケンスである。
【０３２２】
列７１３と行７０３との交差箇所に示すスクランブルシーケンス「０１１０」は、第２の電気通信装置ＵＥ２に割り当てられることが予想される制御チャネル要素群の第３の制御チャネル要素に対応するスクランブルシーケンスである。
【０３２３】
列７１４と行７０３との交差箇所に示すスクランブルシーケンス「１１１１」は、第２の電気通信装置ＵＥ２に割り当てられることが予想される制御チャネル要素群の第４制御チャネル要素に対応するスクランブルシーケンスである。
【０３２４】
行７０４は、各受信制御チャネル要素上にマッピングされたそれぞれの受信データに対して第２の電気通信装置ＵＥ２により実行されたマスキングの結果を示す。
【０３２５】
行７０４に示すように、結果「００００」又は「１１０１」又は「００１１」又は「１１１０」のいずれも、行７００に示すＣＲＣと結合された情報の符号化及び変調されたものによって形成されたデータに対応しない。各制御チャネル要素について得られた復号メトリックは、その結果、低い値を有する。
【０３２６】
各第２の電気通信装置ＵＥは、その第２の電気通信装置に割り当てられる余地のある少なくとも１つの制御チャネル要素から成る各可能なサブセットの各制御チャネル要素上にマッピングされた受信データに、制御チャネル要素から成るそのサブセットに含まれる制御チャネル要素の個数に対応し且つ少なくとも１つの制御チャネル要素から成るそのサブセット内におけるその制御チャネル要素の位置に対応し且つ制御チャネル要素群内におけるその制御チャネル要素の位置に対応する１つのスクランブルシーケンスを乗算する。
【０３２７】
列７１１と行７０５との交差箇所に示すスクランブルシーケンス「０１１０」は、２つの制御チャネル要素から成るサブセットが第２の電気通信装置ＵＥ２に割り当てられるときに少なくとも１つの制御チャネル要素から成るサブセットの第１の制御チャネル要素に対応し、且つ制御チャネル要素群の第１の制御チャネル要素に対応するスクランブルシーケンスである。
【０３２８】
列７１２と行７０５との交差箇所に示すスクランブルシーケンス「００１１」は、２つの制御チャネル要素から成るサブセットが第２の電気通信装置ＵＥ２に割り当てられるときに少なくとも１つの制御チャネル要素から成るサブセットの第２の制御チャネル要素に対応し、且つ制御チャネル要素群の第２の制御チャネル要素に対応するスクランブルシーケンスである。
【０３２９】
行７０６は、各受信制御チャネル要素上にマッピングされたそれぞれの受信データに対して第２の電気通信装置ＵＥ２により実行されたマスキングの結果を示す。
【０３３０】
行６０６に示すように、結果「０１１０」及び「１０１１」は、行７００に示すＣＲＣと結合された情報の符号化及び変調されたものによって形成されたデータに対応しない。制御チャネル要素群の第１の制御チャネル要素及び第２の制御チャネル要素で構成されるサブセットについて得られた復号メトリックは、その結果、低い値を有する。
【０３３１】
列７１２と行７０７との交差箇所に示すスクランブルシーケンス「０１００」が、その後、シーケンス「００１１」の代わりに制御チャネル要素群の第２の制御チャネル要素のために使用され、少なくとも１つの制御チャネル要素から成るサブセットの第１の制御チャネル要素に対応する。
【０３３２】
ここで、図７の例は、簡単にするために、４ビット長を有する、ＣＲＣと結合された情報の符号化及び変調されたものしか使用していないが、実際には、ＣＲＣと結合された情報の符号化及び変調されたものは、より多くのビットによって表されることを理解できることに留意しなければならない。
【０３３３】
図１０は、本発明による第１の電気通信装置によって実行されるアルゴリズムを示す。
【０３３４】
より正確に言えば、本アルゴリズムは、第１の電気通信装置のプロセッサ２００によって実行される。
【０３３５】
ステップＳ１０００において、プロセッサ２００は、少なくとも１つの宛先に少なくとも１つの制御チャネル要素(control channel element)（ＣＣＥ）を割り当てるために、少なくとも１つの宛先を選択する。その宛先又は各宛先は、第２の電気通信装置ＵＥであり且つ／又は少なくとも１つの第２の電気通信装置ＵＥによって実行される少なくとも１つのアプリケーションである。例として、プロセッサ２００は、第２の電気通信装置ＵＥ１及びＵＥ２を選択する。
【０３３６】
次のステップＳ１００１において、プロセッサ２００は第１の宛先を選択する。例として、プロセッサ２００は第２の電気通信装置ＵＥ１を選択する。
【０３３７】
次のステップＳ１００２において、プロセッサ２００は、選択された宛先に割り当てられる制御チャネル要素に含まれる情報を繰り返す必要があるか否かを検査する。その宛先に割り当てられる制御チャネル要素に含まれる情報を繰り返す必要がある場合、プロセッサ２００はステップＳ１００４に移動する。そうでない場合、プロセッサ２００はステップＳ１００３に移動する。
【０３３８】
図１の例によれば、第２の電気通信装置ＵＥ１は、第１の電気通信装置ＢＳから遠くにあり、プロセッサ２００は、その結果、ステップＳ１００４に移動する。
【０３３９】
ステップＳ１００４において、プロセッサ２００は、宛先に割り当てられる制御チャネル要素に含まれる情報を繰り返す必要がある回数を決定する。
【０３４０】
ステップＳ１００５において、プロセッサ２００は、決定された回数の制御チャネル要素を、選択された宛先に割り当てる。
【０３４１】
その後、プロセッサ２００は、ステップＳ１００６に移動し、ステップＳ１０００において選択されたすべての宛先が処理されたか否かを検査する。ステップＳ１０００において選択されたすべての宛先が処理された場合、プロセッサ２００はステップＳ１００８に移動する。そうでない場合、プロセッサ２００はステップＳ１００７に移動する。
【０３４２】
プロセッサ２００は、ステップＳ１００７において別の宛先を選択し、ステップＳ１０００において選択されたすべての宛先が処理されるまで、ステップＳ１００２〜Ｓ１００６によって構成されるループを実行する。
【０３４３】
ここで、一変形では、ステップＳ１００４及びＳ１０００は、本アルゴリズムの最初のステップにおいて同時に実行されることに留意しなければならない。
【０３４４】
ステップＳ１００８において、プロセッサ２００は、各制御チャネル要素の情報を決定する。この情報は、例として、畳み込み符号化及び／若しくはターボ符号化のようなチャネル符号化、並びに／又は変調方式、並びに／又はチャネル要素群のロケーション、並びに／又はその制御チャネル要素が割り当てられる第２の電気通信装置ＵＥによって使用される時空間符号を表す。
【０３４５】
次のステップＳ１００９において、プロセッサ２００は、各情報について、その情報の巡回冗長検査(a cyclic redundancy checksum)（ＣＲＣ）を計算する。一変形では、ＣＲＣは、無線インターフェース２０６によって計算される。
【０３４６】
次のステップＳ１０１０において、プロセッサ２００は、ＣＲＣと結合された各情報を符号化するように無線インターフェース２０６に命令し、ステップＳ１０１１において、ＣＲＣと結合された情報の各符号化されたものを変調するように無線インターフェース２０６に命令する。
【０３４７】
次のステップＳ１０１２において、プロセッサ２００は、制御チャネル要素群における１番目の位置にある制御チャネル要素を選択する。
【０３４８】
次のステップＳ１０１３において、プロセッサ２００は、選択された制御チャネル要素が割り当てられる第２の電気通信装置ＵＥを識別する。
【０３４９】
次のステップＳ１０１４において、プロセッサ２００は、ステップＳ１０１３において識別された第２の電気通信装置ＵＥに割り当てられた少なくとも１つの制御チャネル要素から成るサブセットにおける制御チャネル要素の個数を識別する。
【０３５０】
次のステップＳ１０１５において、プロセッサ２００は、ステップＳ１０１３において識別された第２の電気通信装置ＵＥに割り当てられた各制御チャネル要素の、制御チャネル要素群内における位置を識別し、且つ／又はステップＳ１０１３において識別された第２の電気通信装置ＵＥに割り当てられた各制御チャネル要素の、少なくとも１つの制御チャネル要素から成るサブセット内における位置を識別する。
【０３５１】
次のステップＳ１０１６において、プロセッサ２００は、選択された制御チャネル要素について、ＣＲＣと結合された情報の変調及び符号化されたものにより形成されたデータに対して適用されるランダム化機能を選択する。スクランブルシーケンス又はインタリーブ機能のようなランダム化機能は、図４〜図７を参照して開示したような本発明の第１の実現モード又は第２の実現モード又は第３の実現モード又は第４の実現モードに従って選択される。
【０３５２】
次のステップＳ１０１７において、プロセッサ２００は、ＣＲＣと結合された情報の変調及び符号化されたものを、選択されたランダム化機能によって処理する。
【０３５３】
次のステップＳ１０１８において、プロセッサ２００は、すべての制御チャネル要素が処理されたか否かを検査する。すべての制御チャネル要素が処理された場合、プロセッサ２００はステップＳ１０２０に移動する。そうでない場合、プロセッサ２００はステップＳ１０１９に移動し、制御チャネル要素群における次の制御チャネル要素を選択する。
【０３５４】
プロセッサ２００は、すべての制御チャネル要素が処理されるまで、ステップＳ１０１３〜Ｓ１０１９によって構成されるループを実行する。
【０３５５】
ステップＳ１０２０において、プロセッサ２００は、処理された各データを、その後転送されるそれぞれの制御チャネル要素上にマッピングする。
【０３５６】
ここで、宛先が、所与の第２の電気通信装置ＵＥによって実行されるアプリケーションであるとき、プロセッサ２００は、同じ第２の電気通信装置ＵＥによって実行される少なくとも２つのアプリケーションを選択できることに留意しなければならない。
【０３５７】
図１１は、本発明による各第２の電気通信装置によって実行されるアルゴリズムを示す。
【０３５８】
より正確に言えば、本アルゴリズムは、各第２の電気通信装置ＵＥのプロセッサ３００によって実行される。
【０３５９】
ステップＳ１１００において、無線インターフェース３０６によって、制御チャネル要素上にマッピングされた受信データの受信がプロセッサ３００に通知される。
【０３６０】
次のステップＳ１１０１において、プロセッサ３００は、図８の例で開示したものの中から少なくとも１つの制御チャネル要素ＣＣＥから成る第１のサブセットを選択する。
【０３６１】
次のステップＳ１１０２において、プロセッサ３００は、選択された制御チャネル要素又は選択されたサブセットの各制御チャネル要素について、ランダム化機能を得る。このランダム化機能は、スクランブル解除シーケンス又はインタリーブ解除機能である。
【０３６２】
各制御チャネル要素について、プロセッサ３００は、ステップＳ１１０１において選択された制御チャネル要素の個数に対応するランダム化機能をＲＡＭメモリ又はＲＯＭメモリから読み出す。本発明のいくつかの実現モードによれば、プロセッサ３００は、制御チャネル要素の、制御チャネル要素群内における位置にも対応し、且つ／又は制御チャネル要素の、少なくとも１つの制御チャネル要素から成るサブセット内における位置にも対応するランダム化機能をＲＡＭメモリ又はＲＯＭメモリから読み出す。
【０３６３】
次のステップＳ１１０３において、プロセッサ３００は、選択された１つ又は複数の制御チャネル要素上にマッピングされた受信データを、ステップＳ１１０２において得られた１つ又は複数のランダム化機能によって処理するように無線インターフェース３０６に命令する。
【０３６４】
次のステップＳ１１０４において、プロセッサ３００は、ステップＳ１１０１において選択された各制御チャネル要素に含まれるシンボルの少なくとも一部に対して累算を求める。
【０３６５】
図９は、制御チャネル要素群が６つの制御チャネル要素を含む一例における制御チャネル要素群の各制御チャネル要素に含まれるシンボルの一例を開示する。
【０３６６】
図９の例では、制御チャネル要素群は、６つの制御チャネル要素ＣＣＥ１〜ＣＣＥ６を含む。各制御チャネル要素は、４つのシンボルで構成される。
【０３６７】
図９に示すシンボルは、受信データの処理後のシンボルである。ランダム化機能がインタリーブ解除機能であるとき、図９に示すシンボルは、インタリーブ解除されたものである。
【０３６８】
制御チャネル要素ＣＣＥ２は、シンボルＳ1CCE2〜Ｓ4CCE2で構成され、制御チャネル要素ＣＣＥ３は、シンボルＳ1CCE3〜Ｓ4CCE3で構成され、制御チャネル要素ＣＣＥ４は、シンボルＳ1CCE4〜Ｓ4CCE4で構成され、制御チャネル要素ＣＣＥ５は、シンボルＳ1CCE5〜Ｓ4CCE5で構成される。
【０３６９】
例として、ステップＳ１１０１において、制御チャネル要素ＣＣＥ２〜ＣＣＥ５で構成されるサブセットが選択される場合、プロセッサ３００は、受信データの処理後に、同じ位置を有する４つのシンボルの少なくとも一部の累算を実行する。
【０３７０】
例として、制御チャネル要素ＣＣＥ２〜ＣＣＥ５の２つの第１のシンボルに対して部分的な累算が実行される場合、プロセッサ３００は、制御チャネル要素ＣＣＥ２の第１のシンボルＳ1CCE2の累算、制御チャネル要素ＣＣＥ３の第１のシンボルＳ1CCE3の累算、制御チャネル要素ＣＣＥ４の第１のシンボルＳ1CCE4の累算、及び制御チャネル要素ＣＣＥ５の第１のシンボルＳ1CCE5の累算を実行する。プロセッサ３００は、制御チャネル要素ＣＣＥ２の第２のシンボルＳ2CCE2の累算、制御チャネル要素ＣＣＥ３の第２のシンボルＳ2CCE3の累算、制御チャネル要素ＣＣＥ４の第２のシンボルＳ2CCE4の累算、及び制御チャネル要素ＣＣＥ５の第２のシンボルＳ2CCE5の累算を実行する。
【０３７１】
完全な累算が実行される場合、プロセッサ３００は、制御チャネル要素ＣＣＥ２の第１のシンボルＳ1CCE2の累算、制御チャネル要素ＣＣＥ３の第１のシンボルＳ1CCE3の累算、制御チャネル要素ＣＣＥ４の第１のシンボルＳ1CCE4の累算、及び制御チャネル要素ＣＣＥ５の第１のシンボルＳ1CCE5の累算を実行するによって、制御チャネル要素ＣＣＥ２〜ＣＣＥ５の累算を求める。プロセッサ３００は、制御チャネル要素ＣＣＥ２の第２のシンボルＳ2CCE2の累算、制御チャネル要素ＣＣＥ３の第２のシンボルＳ2CCE3の累算、制御チャネル要素ＣＣＥ４の第２のシンボルＳ2CCE4の累算、及び制御チャネル要素ＣＣＥ５の第２のシンボルＳ2CCE5の累算を実行する。プロセッサ３００は、制御チャネル要素ＣＣＥ２の第３のシンボルＳ3CCE2の累算、制御チャネル要素ＣＣＥ３の第３のシンボルＳ3CCE3の累算、制御チャネル要素ＣＣＥ４の第３のシンボルＳ3CCE4の累算、及び制御チャネル要素ＣＣＥ５の第３のシンボルＳ3CCE5の累算を実行する。プロセッサ３００は、制御チャネル要素ＣＣＥ２の第４のシンボルＳ4CCE2の累算、制御チャネル要素ＣＣＥ３の第４のシンボルＳ4CCE3の累算、制御チャネル要素ＣＣＥ４の第４のシンボルＳ4CCE4の累算、及び制御チャネル要素ＣＣＥ５の第４のシンボルＳ4CCE5の累算を実行する。
【０３７２】
加法的白色ガウス雑音チャネル(an additive white Gaussian noise channel)（ＡＷＧＮ）の場合、累算は加算である。フェージングチャネルの場合、累算は最大比合成(a maximum ratio combining)（ＭＲＣ）であり、（スカラーによる）シンボルごとの等化が実施される。この等化は、ゼロフォーシング、最小平均二乗誤差合成(minimum mean square error combining)（ＭＭＳＥＣ）、等利得合成(equal-gain combining)（ＥＧＣ）、又はＭＲＣとすることができる。
【０３７３】
次のステップＳ１１０５において、プロセッサ３００は、累算ステップの結果の復調を実行するように無線インターフェース３０６に命令する。
【０３７４】
この復調は、累算ステップに従って部分的であるか又は完全である。
【０３７５】
次のステップＳ１１０６において、プロセッサ３００は、復調されたシンボルに対して復号メトリック計算ステップを実行するように無線インターフェース３０６に命令する。この復号メトリックは、処理された受信データの復調されたもの及びコード構造の妥当性と共に増加するものである。
【０３７６】
例として、ビタビ復号の場合、復号メトリックは、数回のビタビ復号ステップの後のトレリスの状態(trellis states)の少なくとも一部におけるメトリックの２乗の合計若しくはメトリックの分散であるか、又は数回のビタビ復号ステップの後のトレリスの状態の少なくとも一部の中で最良のメトリックであるか、又は数回のビタビ復号ステップの後のトレリスの状態の少なくとも一部におけるメトリックの合計若しくは平均であるか、又は数回のビタビ復号ステップＮstepの後のビタビ復号ステップＮstep−Ｘにおける残存したパスの異なる状態の個数である。符号構造のプロパティにより、Ｘが符号の拘束長と比較して十分に高い場合には、異なる状態の個数は１に等しくなるはずである。
【０３７７】
ステップＳ１１０７において、プロセッサ３００は、ステップＳ１１０６において求められた復号メトリックを正規化する。
【０３７８】
復号メトリックが、前掲したようなメトリックの、２乗の合計若しくは分散又は最良のメトリック又は合計若しくは平均である場合、マルチパスチャネルでは、これらのメトリックは、Ｂ．Ｙ＋Ｎ0の形態となる。ここで、Ｂはマルチパスチャネル特性に依存し（例えば、Ｂは、符号化ビットが受けた等価なチャネル係数の合計とすることができる）、Ｎ0は、復号メトリックが受けた付加雑音の雑音分散である。
【０３７９】
異なるサブセットについて比較可能な正規化メトリックＹを得るために、復号メトリックからＮ0を減算することができ、その後、結果はＢによって除算される。
【０３８０】
次のステップＳ１１０８において、プロセッサ３００は、処理されていない少なくとも１つの制御チャネル要素から成る少なくとも１つのサブセットがあるか否かをチェックする。
【０３８１】
処理されていない少なくとも１つの制御チャネル要素から成る少なくとも１つのサブセットがある場合、プロセッサ３００は、ステップＳ１１０９に移動し、少なくとも１つの制御チャネル要素から成る別のサブセットを選択し、ステップＳ１１０２に戻る。
【０３８２】
制御チャネル要素のすべてのサブセットが処理された場合、プロセッサ３００はステップＳ１１１０に移動する。
【０３８３】
ステップＳ１１１０において、プロセッサ３００は、最も大きな正規化メトリックから最も小さな正規化メトリックへ正規化メトリックを順序付ける。
【０３８４】
次のステップＳ１１１１において、プロセッサ３００は、選択された正規化メトリックが計算される少なくとも１つの制御チャネル要素から成る対応するサブセットを有する最も大きな正規化結果を選択する。
【０３８５】
累算、復調、及び復号がシンボルの一部に対しステップＳ１１０４、Ｓ１１０５、及び１１０６において実行され、且つ累算が記憶された場合には、プロセッサ３００は、次のステップＳ１１１２において、累算、復調、及び復号を完了するように無線インターフェース３０６に命令する。
【０３８６】
復号結果が記憶されていない場合、プロセッサ３００は、ステップＳ１１１１において選択された各制御チャネル要素に含まれるシンボルの累算、復調、及び復号を実行するように無線インターフェース３０６に命令する。
【０３８７】
ここで、ステップＳ１１０４において、ステップＳ１１１１において選択された各制御チャネル要素に含まれるすべてのシンボルの復号結果が実行されて記憶された場合、プロセッサ３００は、ステップＳ１１１２を実行せず、ステップＳ１１１５に移動することに留意しなければならない。
【０３８８】
次のステップＳ１１１５において、プロセッサ３００は、累算ステップの復調復号結果の巡回冗長検査を計算する。一変形では、巡回冗長検査は、ワイヤレスインタフェース３０６によって計算される。
【０３８９】
次のステップＳ１１１６において、プロセッサ３００は、巡回冗長を検査する。巡回冗長が正しい場合、プロセッサ３００はステップＳ１１１９に移動し、第２の電気通信装置ＵＥへ転送された情報は位置特定されて復号される。
【０３９０】
巡回冗長が正しくない場合、プロセッサ３００はステップＳ１１１７に移動し、処理されていないいくつかの正規化結果が残っているか否かを検査する。
【０３９１】
ここで、順序付けられた正規化メトリックが求められる少なくとも１つの制御チャネル要素から成るすべてのサブセットが処理されるか、又は或る値よりも高い順序付けられた正規化メトリックが求められる少なくとも１つの制御チャネル要素から成るサブセットのみが処理されるか、又は所定の個数の順序付けられた正規化メトリックが求められる少なくとも１つのチャネル要素から成るサブセットのみが処理されることに留意しなければならない。
【０３９２】
ステップＳ１１１７のテストの結果が肯定である場合、プロセッサ３００は、ステップＳ１１１８に移動し、次の正規化メトリックが求められる少なくとも１つの制御チャネル要素から成るサブセットを選択し、ステップＳ１１１７のテストが否定である限り、ステップＳ１１１２〜Ｓ１１１８によって構成されるループを実行する。
【０３９３】
ステップＳ１１１７のテストが否定である場合、プロセッサ３００は本アルゴリズムを停止し、ステップＳ１１００に戻る。
【０３９４】
本発明は、これらのプロセスが制御チャネル要素に対して実行される一例で説明されてきた。
【０３９５】
本発明は、古典的なチャネル要素にも適用可能である。このようなケースは、例として、制御チャネル要素が電気通信ネットワークにおいて定義されていないときに起こる。このようケースでは、第１の電気通信装置及び第２の電気通信装置は、データが含まれるチャネル要素に対して本発明を適用する。
【０３９６】
図１２は、本発明の一変形による各第２の電気通信装置によって実行されるアルゴリズムを示す。
【０３９７】
スクランブルシーケンスをバイナリスクランブルシーケンスによって表すことができる場合、図１１に開示するようなアルゴリズムは変更される。
【０３９８】
ステップＳ１１０２〜Ｓ１１０８によって構成されるループのステップＳ１１０４において復調を行う代わりに、すべての制御チャネル要素の復調は、ステップＳ１２０３〜Ｓ１２０９によって構成されるループの前に行われる。
【０３９９】
ステップＳ１２００は、ステップＳ１１００と同一である。
【０４００】
ステップＳ１２０１において、すべての制御チャネル要素の復調が行われ、対数尤度比(Log Likehood ratios)が求められる。
【０４０１】
同じステップにおいて、無線インターフェース３０６はチャネル等化に進む。
【０４０２】
ステップＳ１２０２〜Ｓ１２０４は、ステップＳ１１０１〜Ｓ１１０３と同一であり、それらのステップはこれ以上説明しないことにする。
【０４０３】
ステップＳ１２０５において、プロセッサ３００は、プロセス中の少なくとも１つの制御チャネル要素から成るサブセットの対数尤度比の少なくとも一部の累算に取りかかるように無線インターフェース３０６に命令する。
【０４０４】
ステップＳ１２０６〜Ｓ１２１１は、ステップＳ１１０６〜Ｓ１１１１と同一であり、それらのステップはこれ以上説明しないことにする。
【０４０５】
累算及び復号が対数尤度比の一部に対しステップＳ１２０５において実行され、且つ復号結果が記憶された場合、プロセッサ３００は、ステップ１２１２において、累算及び復号を完了するように無線インターフェース３０６に命令する。
【０４０６】
復号結果が記憶されていない場合、プロセッサ３００は、プロセス中の少なくとも１つの制御チャネル要素から成るサブセットのすべての対数尤度比の累算及び復号を実行するように無線インターフェース３０６に命令する。
【０４０７】
ここで、ステップＳ１２０５において、ステップＳ１２１１において選択された各制御チャネル要素に含まれるすべてのシンボルの累算及び復号が実行されて記憶された場合、プロセッサ３００は、ステップＳ１２１２を実行せず、ステップＳ１２１５に移動することに留意しなければならない。
【０４０８】
ステップＳ１２１５〜Ｓ１２１９は、ステップＳ１１１５〜Ｓ１１１９と同一であり、これらのステップはこれ以上説明しないことにする。
【０４０９】
当然のことながら、本発明の範囲から逸脱することなく、上述した本発明の実施形態に対して多くの変更を行うことができる。
【図１】
0005520216.tif 000004
【図２】
0005520216.tif 000005
【図３】
0005520216.tif 000006
【図４】
0005520216.tif 000007
【図５】
0005520216.tif 000008
【図６】
0005520216.tif 000009
【図７】
0005520216.tif 000010
【図８】
0005520216.tif 000011
【図９】
0005520216.tif 000012
【図１０】
0005520216.tif 000013
【図１１】
0005520216.tif 000014
【図１２】
0005520216.tif 000015